(57)【要約】  本発明は情報取得方法を開示する。本発明は通信装置および通信システムをさらに開示する。本発明で提供される解決策によれば、ユーザ機器は、送受信ポイント（TRP）によって送信された、ユーザ機器に送信されるべき制御情報の数情報を受信し、ここで、N個の制御情報がユーザ機器に送信されることになっており、Nが1以上の整数である。ユーザ機器は、数情報に基づいて、N個の制御情報が検出される必要があると判断し、ユーザ機器はN個の制御情報を検出する。本出願で提供される技術的解決策によれば、制御情報取得プロセスにおいてTRPの処理の複雑さとユーザ機器の処理の複雑さとを低減させることができる。
2020504540.tif 000002
【特許請求の範囲】
【請求項１】
通信方法であって、
ユーザ機器により、送受信ポイント（TRP）によって送信された、前記ユーザ機器に送信されるべき制御情報の数情報を受信するステップであって、N個の制御情報が前記ユーザ機器に送信されることになっており、Nが1以上の整数である、ステップと、
前記ユーザ機器により、前記数情報に基づいて、前記N個の制御情報が検出される必要があると判断するステップと、
前記ユーザ機器により、N個のTRPから前記制御情報を検出するステップと
を含む方法。
【請求項２】
前記ユーザ機器に送信されるべき前記制御情報の前記数情報が第1の伝送パラメータセットに含まれ、前記制御情報が第2の伝送パラメータセットに含まれる、請求項1に記載の方法。
【請求項３】
Nが2以上の整数であり、前記第1の伝送パラメータセットが第2の伝送パラメータセットのコンテンツ指示情報をさらに含み、前記第2の伝送パラメータセットのコンテンツ指示情報が、前記ユーザ機器に送信されるべきN個の第2の伝送パラメータセットが同じであるかどうかを指示する、請求項2に記載の方法。
【請求項４】
前記N個の第2の伝送パラメータセットが同じコンテンツを有し、
前記方法が、
前記ユーザ機器により、検出された前記N個の第2の伝送パラメータセットを結合するステップ
をさらに含む、請求項3に記載の方法。
【請求項５】
前記N個の第2の伝送パラメータセットが異なるコンテンツを有し、
前記方法が、
前記ユーザ機器により、前記N個のTRPから検出された前記N個の第2の伝送パラメータセットに基づいてN個のデータチャネルのスケジューリング情報を取得するステップと、
前記ユーザ機器により、前記N個のデータチャネルでデータを別々に送信するステップと
をさらに含む、請求項3に記載の方法。
【請求項６】
前記ユーザ機器に送信されるべき前記制御情報の前記数情報が第2の伝送パラメータセットの第1レベルの下り制御情報に含まれ、前記制御情報が前記第2の伝送パラメータセットの第2レベルの下り制御情報に含まれる、請求項1に記載の方法。
【請求項７】
Nが2以上の整数であり、前記第2の伝送パラメータセットの前記第1レベルの下り制御情報が制御情報コンテンツ指示情報をさらに含み、前記制御情報コンテンツ指示情報が、前記ユーザ機器に送信されるべき前記N個の制御情報が同じであるかどうかを指示する、請求項6に記載の方法。
【請求項８】
前記N個の制御情報が同じコンテンツを有し、
前記方法が、
前記ユーザ機器により、検出された前記N個の制御情報を結合するステップ
をさらに含む、請求項7に記載の方法。
【請求項９】
前記N個の制御情報が異なるコンテンツを有し、
前記方法が、
前記ユーザ機器により、前記N個のTRPから検出された前記N個の制御情報に基づいてN個のデータチャネルのスケジューリング情報を取得するステップと、
前記ユーザ機器により、前記N個のデータチャネルでデータを別々に送信するステップと
をさらに含む、請求項7に記載の方法。
【請求項１０】
前記N個の制御情報が、同じ搬送波でのデータ伝送をスケジュールするために使用される、請求項2から9のいずれか一項に記載の方法。
【請求項１１】
ユーザ機器であって、
送受信ポイント（TRP）によって送信された、前記ユーザ機器に送信されるべき制御情報の数情報を受信するように構成された送受信機であって、N個の制御情報が前記ユーザ機器に送信されることになっており、Nが1以上の整数である、送受信機と、
前記数情報に基づいて、前記N個の制御情報が検出される必要があると判断し、N個のTRPから前記制御情報を検出するように構成されたプロセッサと
を含むユーザ機器。
【請求項１２】
前記ユーザ機器に送信されるべき前記制御情報の前記数情報が第1の伝送パラメータセットに含まれ、前記制御情報が第2の伝送パラメータセットに含まれる、請求項11に記載のユーザ機器。
【請求項１３】
Nが2以上の整数であり、前記第1の伝送パラメータセットが第2の伝送パラメータセットのコンテンツ指示情報をさらに含み、前記第2の伝送パラメータセットのコンテンツ指示情報が、前記第2の伝送パラメータセットが同じであるかどうかを指示する、請求項12に記載のユーザ機器。
【請求項１４】
前記N個の第2の伝送パラメータセットが同じコンテンツを有し、
前記プロセッサが、検出された前記N個の第2の伝送パラメータセットを結合するようにさらに構成される、請求項13に記載のユーザ機器。
【請求項１５】
前記N個の第2の伝送パラメータセットが異なるコンテンツを有し、
前記プロセッサが、検出された前記N個の第2の伝送パラメータセットに基づいてN個のデータチャネルのスケジューリング情報を取得するようにさらに構成され、
前記送受信機が、前記N個のデータチャネルでデータを別々に送信するようにさらに構成される、請求項13に記載のユーザ機器。
【請求項１６】
前記ユーザ機器に送信されるべき前記制御情報の前記数情報が第2の伝送パラメータセットの第1レベルの下り制御情報に含まれ、前記制御情報が前記第2の伝送パラメータセットの第2レベルの下り制御情報に含まれる、請求項11に記載のユーザ機器。
【請求項１７】
Nが2以上の整数であり、前記第2の伝送パラメータセットの前記第1レベルの下り制御情報が制御情報コンテンツ指示情報をさらに含み、前記制御情報コンテンツ指示情報が、前記ユーザ機器に送信されるべき前記N個の制御情報が同じであるかどうかを指示する、請求項16に記載のユーザ機器。
【請求項１８】
前記N個の制御情報が同じコンテンツを有し、
前記プロセッサが、検出された前記N個の制御情報を結合するようにさらに構成される、請求項17に記載のユーザ機器。
【請求項１９】
前記N個の制御情報が異なるコンテンツを有し、
前記プロセッサが、前記N個のTRPから検出された前記N個の制御情報に基づいてN個のデータチャネルのスケジューリング情報を取得するようにさらに構成され、
前記送受信機が、前記N個のデータチャネルでデータを別々に送信するようにさらに構成される、請求項17に記載のユーザ機器。
【請求項２０】
前記N個の制御情報が、同じ搬送波でのデータ伝送をスケジュールするために使用される、請求項11から19のいずれか一項に記載のユーザ機器。
【請求項２１】
命令を含むコンピュータ可読記憶媒体であって、前記命令がコンピュータ上で実行されると、前記コンピュータが請求項1から10のいずれか一項に記載の方法を行う、コンピュータ可読記憶媒体。
【発明の詳細な説明】
【技術分野】
【０００１】
本出願は、無線通信技術に関し、特に、通信方法ならびに通信装置および通信システムに関する。
【背景技術】
【０００２】
セルエッジユーザ端末（user equipment、UE）の性能を改善し、セルエッジスペクトル効率を改善し、複数のセルのシステム性能全体を最適化するために、UEが複数の基地局によってカバーされる範囲内に位置しているときに、複数の基地局はUEのために協調データ伝送を提供し得る。
【０００３】
先行技術では、複数の基地局が同じUEに協調データ伝送を提供するとき、UEのサービング基地局がUEに制御情報を送信する。制御情報は、サービング基地局のスケジューリング情報と、UEに協調伝送を提供する他の基地局のスケジューリング情報とを含む。UEは、サービング基地局によって配信された制御情報を受信し、協調伝送に関与する基地局のものである、制御情報に含まれるスケジューリング情報に基づいて、それらの基地局によって送信されたデータを受信する。制御情報が協調伝送に関与する基地局のスケジューリング情報を指示することができるように、制御情報のフォーマットが拡張される必要がある。協調伝送に関与する基地局の数はその都度異なり得る。したがって、協調伝送に関与する基地局のスケジューリング情報を指示するための制御情報のフォーマットはその都度変化する。
【０００４】
先行技術には、UEが1つの基地局のカバレッジエリア内にあり、UEと基地局とがシングルポイント伝送を行う場合もある。ただ1つの基地局がUEのスケジューリングを行い、UEにデータを送信する場合、基地局によってUEに配信される制御情報は拡張される必要がなく、制御情報のフォーマットは複数の基地局が協調伝送を行う場合に使用される制御情報のフォーマットとは異なる。
【発明の概要】
【課題を解決するための手段】
【０００５】
したがって、先行技術においては、異なるシナリオでは、異なる制御情報のフォーマットが変更される必要があり、基地局は制御情報を異なるフォーマットで生成する必要があり、UEは制御情報を異なるフォーマットで処理する必要がある。ゆえに、基地局によって行われる処理とUEによって行われる処理とが過度に複雑になる。
【０００６】
本出願は、協調伝送における送受信ポイントの処理の複雑さとUEの処理の複雑さとを低減させるために、通信方法ならびに通信装置および通信システムを提供する。
【０００７】
本発明の実施態様の一態様は通信方法を提供する。本方法では、送受信ポイント（transmission reception point、TRP）が、同じUEに送信されるべき制御情報の数情報を決定し、UEに、決定されたUEに送信されるべき制御情報の数情報を送信し、ここで、N個の制御情報がUEに送信されることになっており、Nは1以上の整数である。
【０００８】
本発明の実施態様の別の態様は通信方法を提供する。本方法では、UEが、TRPによって送信された、UEに送信されるべき制御情報の数情報を受信し、UEが、数情報に基づいて、N個の制御情報が検出される必要があると判断し、UEがN個のTRPから制御情報を検出する。合計N個の制御情報が検出されることになっており、N個のTRPの各々によって送信された制御情報がTRPから検出される。
【０００９】
1つの可能な実施態様において、ユーザ機器に送信されるべき制御情報の数情報は第1の伝送パラメータセットに含まれ、制御情報は第2の伝送パラメータセットに含まれる。あるいは、ユーザ機器に送信されるべき制御情報の数情報は第2の伝送パラメータセットの第1レベルの下り制御情報に含まれ、制御情報は第2の伝送パラメータセットの第2レベルの下り制御情報に含まれる。
【００１０】
1つの可能な実施態様において、UEに送信されるべき制御情報の数情報は、UEに制御情報を送信する必要のあるTRPの数に基づいて決定され得る。あるいは、UEに送信されるべき制御情報の数情報は固定値として構成されてもよく、固定値は1以上の整数であり得る。UEに送信されるべき制御情報の数は場合に応じて決定されるので、異なるシナリオ要件を柔軟に満たすことができる。制御情報の数は閾値を超えることができないので、過剰な制御情報の伝送を制御することができ、過剰な物理リソースの占有によって生じるシステム性能への影響を回避することができ、UEによる過剰な制御情報の処理の複雑さを低減させることができ、処理中に発生するエネルギー消費を削減することができる。制御情報の数は第2の伝送パラメータセットの数であり得る。
【００１１】
1つの可能な実施態様において、同じUEに送信されるべき制御情報を送信するTRPはN個のTRPのうちの1つであり得る。あるいは、同じUEに送信されるべき制御情報を送信するTRPはN個のTRPに属さない場合もある。
【００１２】
1つの可能な実施態様において、ユーザ機器に送信されるべき制御情報の数情報は第1の伝送パラメータセットに含まれ、第1の伝送パラメータセットは第2の伝送パラメータセットを伝送するためのリソース情報をさらに含んでいてもよく、リソース情報は第2の伝送パラメータセットを伝送するための候補リソースを指示するので、UEは第2の伝送パラメータセットを柔軟かつ迅速に検出する。
【００１３】
1つの可能な実施態様において、Nは1であり得るか、またはNは2以上であり得る。Nが1の場合、シングルポイント伝送が実施され得る。Nが2以上の場合、マルチポイント伝送が実施されてもよく、したがって伝送効率が改善される。
【００１４】
1つの可能な実施態様において、Nが2以上の場合、UEに送信されるべきN個の制御情報は、同じコンテンツを有し得るか、または異なるコンテンツを有し得る。
【００１５】
1つの可能な実施態様において、ユーザ機器に送信されるべき制御情報の数情報が第1の伝送パラメータセットに含まれる場合、第1の伝送パラメータセットは第2の伝送パラメータセットのコンテンツ指示情報をさらに含んでいてもよく、第2の伝送パラメータセットのコンテンツ指示情報は、UEに送信されるべきN個の第2の伝送パラメータセットが同じであるかどうかを指示する。あるいは、ユーザ機器に送信されるべき制御情報の数情報が第2の伝送パラメータセットの第1レベルの下り制御情報に含まれる場合、第2の伝送パラメータセットの第1レベルの下り制御情報は制御情報コンテンツ指示情報をさらに含んでいてもよく、制御情報コンテンツ指示情報は、UEに送信されるべきN個の制御情報が同じであるかどうかを指示する。
【００１６】
1つの可能な実施態様において、UEは少なくとも2つの第2の伝送パラメータセットまたは少なくとも2つの制御情報を検出し、少なくとも2つの第2の伝送パラメータセットまたは少なくとも2つの制御情報は同じコンテンツを有する。UEは複数の検出された第2の伝送パラメータセットまたは複数の検出された制御情報を結合して、第2の伝送パラメータセットまたは制御情報の送信の信頼度を向上させ得る。
【００１７】
1つの可能な実施態様において、UEは少なくとも2つの第2の伝送パラメータセットまたは少なくとも2つの制御情報を検出し、少なくとも2つの第2の伝送パラメータセットまたは少なくとも2つの制御情報は異なるコンテンツを有する。異なるコンテンツを有する少なくとも2つの第2の伝送パラメータセットまたは少なくとも2つの制御情報は、少なくとも2つの異なるデータチャネルをスケジュールするために使用されてもよく、UEはN個のデータチャネルで別々に上りデータを送信し、下りデータを受信し得る。したがって、非コヒーレントなジョイント伝送を実施することができる。異なるデータチャネルで伝送されるデータが同じ場合もあり、したがってデータ伝送信頼度をさらに向上させることができる。異なるデータチャネルで伝送されるデータが異なる場合もあり、したがってシステム容量をさらに向上させることができる。
【００１８】
1つの可能な実施態様においては、マルチポイント伝送の間に、異なるTRPと同じUEとの間のデータ伝送が同じ搬送波で行われ得るか、または異なる搬送波で行われ得る。独立してプリコードされるデータが同じ場合もあり、したがってデータ伝送信頼度を向上させることができる。あるいは、独立してプリコードされるデータが異なる場合もあり、したがってシステム全体のデータ伝送容量を向上させることができる。
【００１９】
1つの可能な実施態様においては、送信されるべき制御情報の数情報は伝送モードを一様に指示してもよく、UEは送信されるべき制御情報の数情報に基づいて伝送モードを決定し得る。伝送モードとチャネル状態情報測定構成パラメータとは分離され得る。TRPはUEにチャネル状態情報測定構成パラメータを別に送信し得る。このようにして、チャネル状態情報測定およびフィードバックの正確さを向上させることができ、通信が実際のチャネル変化に効果的に適応することができ、通信効率が改善される。
【００２０】
1つの可能な実施態様において、第2の伝送パラメータセットは、物理下り制御チャネルを使用して指示されるパラメータを含む。
【００２１】
1つの可能な実施態様において、UEに送信されるべき制御情報の数は、受信または送信される必要のある物理層コードワードの数であるか、または上り通信が同時に行われるビームの数であり得る。
【００２２】
1つの可能な実施態様において、ユーザ機器に送信されるべき制御情報の数情報が第2の伝送パラメータセットの第1レベルの下り制御情報に含まれる場合、TRPはUEに第1の伝送パラメータセットをさらに送信し得る。
【００２３】
1つの可能な実施態様において、第1の伝送パラメータセットはアンテナポートグループ化情報をさらに含む。
【００２４】
1つの可能な実施態様において、第1の伝送パラメータセットはランク情報をさらに含み、ランク情報は、第2の伝送パラメータセットを使用してスケジュールされたデータを指示するランク情報であり得る。
【００２５】
1つの可能な実施態様において、第1の伝送パラメータセットはレイヤマッピング情報をさらに含んでいてもよく、レイヤマッピング情報はコードワード対レイヤマッピング関係を事前定義するために使用される。
【００２６】
1つの可能な実施態様において、上りリンクスケジューリングでは、第2の伝送パラメータセットは、サブバンドプリコーディング情報と電力制御情報の少なくとも一方をさらに含み得る。
【００２７】
1つの可能な実施態様において、第1の伝送パラメータセットは、第2の伝送パラメータセットを搬送するチャネルのアンテナポートの擬似コロケーションパラメータ構成情報をさらに含むか、または第2の伝送パラメータセットを使用してスケジュールされたデータチャネルのアンテナポートの擬似コロケーションパラメータ構成情報をさらに含み得る。第2のパラメータセットを送信するためのアンテナポートと、第2のパラメータセットを使用してスケジュールされたデータチャネルを送信するためのアンテナポートとが異なるか、または指示コロケーション要件を満たさない場合、擬似コロケーションパラメータ構成情報は、第2のパラメータセットを送信するためのアンテナポートの擬似コロケーションパラメータ構成情報と、第2のパラメータセットを使用してスケジュールされたデータチャネルを送信するためのアンテナポートの擬似コロケーションパラメータ構成情報とを含んでいてもよく、これら2つのタイプの擬似コロケーションパラメータ構成情報は異なる。
【００２８】
1つの可能な実施態様において、第1の伝送パラメータセットは擬似コロケーションパラメータ指示情報をさらに含む。
【００２９】
1つの可能な実施態様において、ユーザ機器に送信されるべき制御情報の数情報が第2の伝送パラメータセットの第1レベルの下り制御情報に含まれる場合、第2の伝送パラメータセットの第1レベルの下り制御情報は擬似コロケーションパラメータ指示情報をさらに含み得る。
【００３０】
1つの可能な実施態様において、ユーザ機器に送信されるべき制御情報の数情報が第2の伝送パラメータセットの第1レベルの下り制御情報に含まれる場合、第2の伝送パラメータセットの第1レベルの下り制御情報はランク情報をさらに含み、ランク情報は制御情報を使用してスケジュールされたデータを指示するランク情報であり得る。
【００３１】
1つの可能な実施態様において、第1の伝送パラメータセットはビーム情報をさらに含み、ビーム情報は、第2の伝送パラメータセットの送信ビームを指示するか、または第2の伝送パラメータセットの受信ビームを指示するか、または第2の伝送パラメータセットの送信ビームと受信ビームとを指示し得る。
【００３２】
1つの可能な実施態様において、ユーザ機器に送信されるべき制御情報の数情報が第2の伝送パラメータセットの第1レベルの下り制御情報に含まれる場合、第2の伝送パラメータセットの第1レベルの下り制御情報はビーム情報をさらに含み、ビーム情報は、第2の伝送パラメータセットの第2レベルの下り制御情報の送信ビーム、または第2の伝送パラメータセットの第2レベルの下り制御情報の受信ビーム、または第2の伝送パラメータセットの第2レベルの下り制御情報の送信ビームと受信ビームとを指示する。
【００３３】
1つの可能な実施態様において、第1の伝送パラメータセットは無線リソース制御メッセージを使用して送信されるので、制御チャネルリソースを節約することができる。加えて、伝送信頼性を保証するために、第1の伝送パラメータセットを、比較的低い符号化率で比較的低い変調次数を使用して送信することもできる。
【００３４】
1つの可能な実施態様において、第1の伝送パラメータセットは媒体アクセス制御制御要素を使用して送信されるか、または第1の伝送パラメータセットは完全なフォーマットの下り制御情報を使用して送信され、または第1の伝送パラメータセットは第1レベルの下り制御情報を使用して送信され、第2の伝送パラメータセットは第2レベルの下り制御情報を使用して送信され、第1レベルの下り制御情報と第2レベルの下り制御情報とは完全なフォーマットの下り制御情報を形成する。このようにして、制御チャネルの構成情報をUEに迅速に送信することができ、迅速に更新することができるので、実際の物理チャネルをより適切にマッチさせることができる。
【００３５】
別の態様によれば、本発明の一実施態様はUEを提供する。本UEは、前述の方法実施態様におけるUEの挙動を実施する機能を有する。この機能は、ハードウェアを使用して実施され得るか、またはハードウェアが対応するソフトウェアを実行することによって実施され得る。ハードウェアまたはソフトウェアは、前述の機能に対応する1つまたは複数のモジュールを含む。
【００３６】
1つの可能な実施態様において、本UEの構造は、送受信機とプロセッサとを含む。送受信機は、前述の方法における対応する受信機能および通知機能または送信機能を実施するように構成される。例えば、送受信機は、TRPによって送信された、ユーザ機器に送信されるべき制御情報の数情報を受信する、例えば、ユーザ機器に送信されるべき制御情報の数情報を含む第1の伝送パラメータセット、または第2の伝送パラメータセットのものである、ユーザ機器に送信されるべき制御情報の数情報を含む第1レベルの下り制御情報を受信するように構成され得る。送受信機は、N個のTRPによって送信された第2の伝送パラメータセットを受信するようにさらに構成され得る。さらに、送受信機は、マルチポイント伝送において異なるデータチャネルで複数のTRPによって送信された下りデータを受信し得るか、または複数のTRPに上りデータを送信し得る。プロセッサは、数情報に基づいて、N個の第2の伝送パラメータセットが検出される必要があると判断し、N個のTRPから制御情報を検出するように構成され得る。プロセッサは、少なくとも2つの第2の伝送パラメータまたは少なくとも2つの制御情報が同じコンテンツを有する場合、検出されたN個の第2の伝送パラメータセット制御情報を結合するように構成され得るか、または少なくとも2つの第2の伝送パラメータ制御情報が異なるコンテンツを有する場合、検出されたN個の第2の伝送パラメータセット制御情報に基づいてN個のデータチャネルのスケジューリング情報を取得するように構成され得る。本UEはメモリをさらに含み得る。メモリは、プロセッサに結合され、UEに必要なプログラム命令およびデータを格納するように構成される。
【００３７】
1つの可能な実施態様において、本UEの構造は、送受信部と処理部とを含み得る。送受信部は、TRPによって送信された、送信されるべき制御情報の数情報を受信するように構成されてもよく、少なくとも1つのTRPによって送信された制御情報をさらに受信してもよく、少なくとも1つのTRPによって送信された下りデータをさらに受信し得るか、または少なくとも1つのTRPに上りデータを送信し得る。処理部は、送信されるべき制御情報の数情報に基づいて、受信される必要のある制御情報の数を決定し、対応する決定された数の制御情報を検出するように構成され得る。
【００３８】
さらに別の態様によれば、本発明の一実施態様はTRPを提供する。本TRPは、前述の方法実施態様におけるTRPの挙動を実施する機能を有する。この機能は、ハードウェアを使用して実施され得るか、またはハードウェアが対応するソフトウェアを実行することによって実施され得る。ハードウェアまたはソフトウェアは、前述の機能に対応する1つまたは複数のモジュールを含む。モジュールはソフトウェアおよび／またはハードウェアであり得る。
【００３９】
1つの可能な実施態様において、本TRPの構造は、送受信機とプロセッサとを含む。プロセッサは、UEに送信されるべき制御情報の数情報を決定し、UEに第1の伝送パラメータセットを送信するように構成され得る。送受信機は、UEに、決定されたUEに送信されるべき制御情報の数情報を送信するように構成され得る。送受信機はUEに第2の伝送パラメータセットをさらに送信し得る。本TRPはメモリをさらに含み得る。メモリは、プロセッサに結合され、TRPに必要なプログラム命令およびデータを格納するように構成される。
【００４０】
1つの可能な実施態様において、本TRPは、処理部と送受信部とを含み得る。処理部は、送信されるべき制御情報の数情報を受信するように構成され得る。送受信部は、UEに送信されるべき制御情報の数情報を送信するように構成されてもよく、UEに制御情報を送信し得る。さらに、送受信部は、UEに下りデータをさらに送信し、UEによって送信された上りデータを受信し得る。
【００４１】
さらに別の態様によれば、本発明の一実施態様は通信システムを提供する。本システムは、前述の態様による少なくとも1つのTRPを含む。
【００４２】
さらに別の態様によれば、本発明の一実施態様は通信システムを提供する。本システムは前述の態様によるUEを含む。
【００４３】
さらに別の態様によれば、本発明の一実施態様は通信システムを提供する。本システムは、前述の態様による少なくとも1つのTRPとUEとを含む。
【００４４】
さらに別の態様によれば、本発明の一実施態様は、前述のUEによって使用されるコンピュータソフトウェア命令を格納するように構成されたコンピュータ記憶媒体を提供する。コンピュータソフトウェア命令は、前述の態様を行うためのプログラムを含む。
【００４５】
さらに別の態様によれば、本発明の一実施態様は、前述のTRPによって使用されるコンピュータソフトウェア命令を格納するように構成されたコンピュータ記憶媒体を提供する。コンピュータソフトウェア命令は、前述の態様を行うためのプログラムを含む。
【００４６】
本発明の前述の実施態様で提供される技術的解決策と、本発明の実施態様で提供される方法とによれば、TRPはシングルポイント伝送とマルチポイント伝送の両方において同じフォーマットの下り制御情報を使用することができ、下り制御情報を拡張する必要がなく、下り制御情報のフォーマットを頻繁に変更する必要もない。したがって、TRPとUEの両方が異なる伝送を容易に実施することができ、UEの単一接続伝送との後方互換性をうまく実現することができる。
【図面の簡単な説明】
【００４７】
【図１】本発明の一実施形態による下り制御情報フォーマットの概略図である。
【図２Ａ】本発明の一実施形態による通信システムの概略図である。
【図２Ｂ】本発明の一実施形態による別の通信システムの概略図である。
【図３】本発明の一実施形態による通信方法の概略的流れ図である。
【図４Ａ】本発明の一実施形態によるUEの概略的構造図である。
【図４Ｂ】本発明の一実施形態による別のUEの概略的構造図である。
【図５Ａ】本発明の一実施形態によるTRPの概略的構造図である。
【図５Ｂ】本発明の一実施形態による別のTRPの概略的構造図である。
【発明を実施するための形態】
【００４８】
以下で、本発明の実施形態を、添付の図面を参照して説明する。
【００４９】
本発明の目的および実施形態に記載される他の目的を達成するために、本発明の本実施形態は通信システムを提供する。本通信システムでは、ネットワーク側に少なくとも1つの送受信ポイント（transmission reception point、TRP）があり、端末側に少なくとも1つのUEがあり得る。TRPは、UEがシステムにアクセスするのを支援するように構成されたアクセスネットワーク側のデバイス、例えば、基地局（base station、BS）や、中継ノード（relay node）や、アクセスポイント（access point、AP）であり得る。基地局は、マクロ基地局、マイクロ基地局、ホームeNodeBなどであり得る。TRPは固定式または可動式であり得る。本発明の本実施形態では、UEは、端末（terminal）、移動局（mobile station）、加入者ユニット（subscriber unit）、局（station）などと呼ばれ得る。UEは、携帯電話（cellular phone）、パーソナルデジタルアシスタント（personal digital assistant、PDA）、無線モデム（modem）、無線通信機器、ハンドヘルド（handheld）デバイス、ラップトップコンピュータ（laptop computer）、コードレス電話（cordless phone）、ワイヤレスローカルループ（wireless local loop、WLL）局、タブレットコンピュータ（pad）などであり得る。モノのインターネット技術が発展するのに伴い、インテリジェント交通における端末および車、スマート家庭用機器、スマートグリッドにおける端末、電力計読取装置、電圧監視装置、環境監視装置、スマートセキュリティネットワークにおけるビデオ監視装置、キャッシュレジスタなど、無線通信ネットワークにアクセスし、無線ネットワークシステムと通信し、または無線ネットワークを使用して別のオブジェクトと通信することができる機器が、本発明の本実施形態におけるUEであり得る。本発明の本実施形態では、UEはTRPと通信し得る。UEは固定式または可動式であり得る。
【００５０】
本発明の本実施形態で提供される通信システムでは、TRPは少なくとも1つのUEに伝送パラメータ（transmission parameter）を送信し得る。伝送パラメータは、少なくとも2つの伝送パラメータセット、例えば、伝送パラメータセット1（transmission parameter set 1）と伝送パラメータセット2（transmission parameter set 2）とを含み得る。伝送パラメータセット1は第1の伝送パラメータセットとも呼ばれ、伝送パラメータセット2は第2の伝送パラメータセットとも呼ばれ得る。本発明の本実施形態では、要件に基づき、特定のパラメータが、第1の伝送パラメータセットに含まれ得るか、または第2の伝送パラメータセットに含まれ得る。伝送パラメータセットの名前はパラメータにいかなる制限も課さない。第1の伝送パラメータセットと第2の伝送パラメータセットとは、伝送のための同じタイプのチャネルで搬送され得るか、または伝送のための異なるタイプのチャネルで搬送され得るか、または伝送のための異なるフォーマットを有する同じタイプのチャネルで搬送され得る。第1の伝送パラメータセットと第2の伝送パラメータセットとはまとめて伝送されてもよい。第1の伝送パラメータセットと第2の伝送パラメータセットとがまとめて伝送される場合、それは、異なるセット内の伝送パラメータが送信のために1つのメッセージまたは1つの情報要素において搬送されることと見なされ得る。異なる伝送パラメータセットは別々に送信されてもよく、例えば、異なるメッセージまたは異なる情報において送信されてもよい。
【００５１】
第1の伝送パラメータセットは、レイヤ1（layer 1）、レイヤ2（layer 2）、またはレイヤ3（layer 3）によって定義されるパラメータを含み得る。レイヤ1は通常、物理層である。レイヤ2は通常、媒体アクセス制御（medium access control、MAC）層である。レイヤ3は通常、無線リソース制御（radio resource control、RRC）層である。デフォルトの伝送方式（transmission scheme）では、第1の伝送パラメータセット内のパラメータにデフォルト値が指定され得る。第1の伝送パラメータセット内のパラメータは、同じメッセージもしくは同じ層で複数の異なるメッセージを使用して送信され得るか、または送信のために異なる層で異なるメッセージにおいて搬送され得る。
【００５２】
第2の伝送パラメータセットは、物理層を使用して指示されるパラメータ、例えば、物理下り制御チャネルを使用して指示されるパラメータを含む。第2の伝送パラメータセットは下り制御情報（downlink control information、DCI）であり得る。本実施形態では、DCIは、完全なDCIフォーマットのDCI、すなわち、1つの完全なDCIまたは1レベルのDCIであり得る。例えば、DCIは、DCIフォーマットで物理下り制御チャネル（physical downlink control channel、PDCCH）上で搬送され得る。本実施形態では、完全なDCIフォーマットのDCIについて、当業者は、既存のLTE標準プロトコルおよびLTEシステムにおける同じまたは同様のDCIフォーマットを参照できよう。あるいは、新しい定義によれば、異なる機能を有する下り制御情報がPDCCHで搬送されてもよく、下り制御情報は完全なDCIフォーマットのDCIを形成する。任意選択で、本発明の本実施形態では2レベルまたはマルチレベルのフォーマットのDCIが提供される。図1に示されるように、完全なDCIフォーマットのDCIは代替として、2つ以上の部分に分割されてもよい。異なる部分は異なるサブレベルDCIとも呼ばれ得る。具体的には、完全なDCIフォーマットのDCIは2つ以上のサブレベルDCIに分割され得る。言い換えると、本実施形態では、DCIは2レベルまたはマルチレベルのDCIの形態であってもよく、2レベルまたはマルチレベルのDCIは完全なDCIフォーマットのDCIを形成し得る。例えば、本実施形態は、第1レベルのDCIと第2レベルのDCIとを含む、2レベルのDCIを提供する。第1レベルのDCIは、広帯域情報を含むか、またはシステムブロードキャスト情報やランダムアクセス情報などの共通情報に対応する制御情報を含み得るか、または伝送ポリシー指示情報を含み得るか、または搬送波指示情報を含み得るか、または異なる伝送ポリシーの共通部分のスケジューリング情報などを含み得る。第2レベルのDCIは、リソース割り振り情報、変調符号化方式情報、サブバンドレベルのプリコーディング行列指示情報などの一部または全部を指示するために使用され得る。DCIが2レベルのDCIである場合、第2の伝送パラメータセットは第2レベルのDCIであり得る。第2の伝送パラメータセットが第2レベルのDCIである場合、第1の伝送パラメータセットは第1レベルのDCIであり得るか、または第1の伝送パラメータセットの部分コンテンツが第1レベルのDCIを含む。あるいは、第2の伝送パラメータセットは、マルチレベルのDCIを含む完全なフォーマットのDCIであり得る。例えば、第2の伝送パラメータセットは第1レベルのDCIと第2レベルのDCIとを含む。第1レベルのDCIはPDCCHによって搬送されてもよく、第2レベルのDCIは、同じPDCCHもしくは異なるPDCCHによって搬送され得るか、または物理下り共有チャネル（physical downlink shared channel、PDSCH）によって搬送され得る。任意選択で、本発明の本実施形態では、少なくとも2つの異なるDCIフォーマットのDCIがあってもよく、各DCIは完全なDCIフォーマットを有し、DCIフォーマットに対応する1つのPDCCHによって搬送される。図1（a）に、完全なDCIフォーマットのDCIを示す。DCIはDCIフォーマットでPDCCHによって搬送される。図1（b）に、2レベルのDCIの一例を示す。第1レベルのDCIと第2レベルのDCIとは、例えば、図1（a）に示される1つの完全なDCIフォーマットのDCIを形成し得る。図1（c）に、2つのタイプの異なるDCIフォーマットのDCI��示す。これらの2つのタイプのDCIは、対応する異なるフォーマットでPDCCHによって別々に搬送され得る。これら2つのタイプの異なるDCIフォーマットのDCIは、既存のシステムにおけるフォーマットのDCIとは異なり得る。当然ながら、これら2つのタイプの異なるフォーマットのDCIは、代替として、既存のシステムにおけるフォーマットのDCIと同じであってもよい。図1に示される各タイプのDCIは理解を容易にするための単なる説明例にすぎず、本実施形態のDCIに実質的な制限を課すものではないことが理解されよう。
【００５３】
任意選択で、第2の伝送パラメータセットは第1の伝送パラメータセットのパラメータ設定に依存し、第2の伝送パラメータセットのサイズ（size）、例えば、DCI sizeは変更され得る。
【００５４】
本実施形態では、完全なフォーマットのDCI、階層的DCI、および複数の異なるフォーマットのDCIが各々、特定のDCIフォーマットでPDCCHによって搬送され得る。完全なDCIフォーマットのDCIは、DCIフォーマットでPDCCHによって搬送され得る。DCIが2レベルまたはマルチレベルのDCIである場合、2レベルまたはマルチレベルのDCIは、複数のPDCCHによって搬送され得るか、または1つのPDCCHによって搬送され得る。異なるフォーマットのDCIは、異なるDCIフォーマットでPDCCHによって別々に搬送される。任意選択で、第2の伝送パラメータセットは、第2の伝送パラメータセットのフォーマットでPDCCHを介して伝送され得る。第2の伝送パラメータセットは、PDCCHによって搬送されるパラメータセットとしても理解され得る。TRPによる第2の伝送パラメータセットの送信は、PDCCHの送信とも呼ばれ得る。UEによる第2の伝送パラメータセットの検出もしくは受信も、UEによるDCIの検出もしくは受信と呼ばれ得るか、またはUEによるDCIフォーマットを有するPDCCHもしくは第2の伝送パラメータセットのフォーマットを有するPDCCHの検出もしくは受信と呼ばれ得る。
【００５５】
例えば、図2Aおよび図2Bに示される通信システム20は、少なくとも1つのUE40と少なくとも1つのTRP50とを含み、UE40は、UE402、UE404などを含んでいてよく、TRP50は、TRP501、TRP503、TRP505などを含んでいてよい。本発明の本実施形態では、UEはネットワーク側と通信する。図2Aに示されるように、UE402は1つのTRP、例えばTRP501によって送信された第2の伝送パラメータセットを受信し得る。UEはTRP501と通信し、TRP501はUE402にデータを送信する。TRP501はUE402のサービングTRPである。図2Aに示される実施態様では、UEはTRPを使用してネットワーク側と通信する。この事例は集中伝送、またはシングルポイント伝送、またはシングルTRP伝送、または非マルチポイント伝送と呼ばれ得る。任意選択で、図2Bに示されるように、UE404は少なくとも2つのTRPによってカバーされる。UE404は少なくとも2つのTRP、例えば、TRP503とTRP505とによってUE404に別々に送信された第2の伝送パラメータセットを受信し得る。UE404はTRP503およびTRP505とデータ伝送を行うようにスケジュールされ、データ伝送は上りデータ送信と下りデータ受信の少なくとも一方を含む。図2Bに示される実施態様では、UEは少なくとも2つのTRPを使用してネットワーク側と通信する。この事例は分散伝送、またはマルチポイントジョイント伝送、またはマルチTRP伝送、または協調マルチポイント送信／受信と呼ばれ得る。TRP503とTRP505とは相互に協調するTRPである。TRP505はUEのサービングTRPであり得る。サービングTRPは、無線リソース制御（radio resource connection、RRC）接続、非アクセス層（non-access stratum、NAS）モビリティ管理、無線エアインターフェースプロトコルによるUEのためのセキュリティ入力などのサービスを提供するTRPであり得る。協調TRPとサービングTRPとはデータを別々にスケジュールし、第2の伝送パラメータセットを使用してそれぞれのスケジューリング結果情報を別々に指示し、UEにデータおよびスケジューリング結果情報を送信し得る。本発明の本実施形態では、より多くのTRPが同じUEに第2の伝送パラメータセットを送信し得る。異なるTRPも異なるUEに第2の伝送パラメータセットを送信し得る。したがって、これは図2Aと図2Bに示される事例に限定されない。
【００５６】
本発明の本実施形態では、TRPはUEに送信されるべき制御情報の数情報を送信してもよく、N個の制御情報がUEに送信されることになっており、Nは1以上の整数であり、ユーザ機器は、数情報に基づいて、N個の制御情報が検出される必要があると判断し、ユーザ機器はN個のTRPから制御情報を検出する。送信されるべき制御情報の数情報は第1の伝送パラメータセットを使用して送信されてもよく、制御情報は第2の伝送パラメータセットを使用して送信される。本実施形態では、第2の伝送パラメータセットが2レベルのDCIである場合、TRPは送信されるべき制御情報の数情報を第2の伝送パラメータセットの第1レベルのDCIでもUEに送信し得る。言い換えると、伝送パラメータセットの第1レベルのDCIは送信されるべき制御情報の数情報を含んでいてもよく、制御情報は第2の伝送パラメータセットの第2レベルのDCIを使用して送信され得る。TRPはUEに送信されるべき制御情報の数情報を送信する。数情報を取得した後、UEは検出されるべき制御情報の数を決定し、対応する数の制御情報を検出することができる。少なくとも1つのTRPはシングルポイント伝送と協調マルチポイント送信／受信の両方において同じフォーマットの下り制御情報を使用することができ、下り制御情報を拡張する必要がなく、異なる伝送で下り制御情報のフォーマットを頻繁に変更する必要もない。したがって、TRPとUEの両方が異なる伝送を容易に実施することができる。
【００５７】
本発明の本実施形態では、TRPはUEに送信されるべき制御情報の数情報を送信し得る。言い換えると、TRPはUEに送信されるべき制御情報の数情報を送信し得る。
【００５８】
本発明の本実施形態では、制御情報は代替としてTRPによってUEに送信される制御情報であってもよい。例えば、制御情報は、上り伝送、下り伝送、データ伝送などのいずれか1つを制御し、スケジュールするために使用される情報を含み得る。任意選択で、制御情報は、下りリンクで送信される制御情報または下り制御情報とも呼ばれ得る。制御情報は第2の伝送パラメータセットを使用して送信される。例えば、制御情報は、第2の伝送パラメータセットフォーマットのフォーマットでPDCCHを介して伝送され得る。あるいは、制御情報は第2の伝送パラメータセットの第2レベルのDCIを使用して送信される。例えば、制御情報は、第2レベルのDCIのフォーマットでPDCCHを介して伝送され得るか、またはPDSCHを介して伝送され得る。
【００５９】
本発明の本実施形態では、TRPはUEに第1の伝送パラメータセットを送信し得る。第1の伝送パラメータセットは送信されるべき第2の伝送パラメータセットの数情報を含む。少なくとも1つのTRPが同じUEに第2の伝送パラメータセットを送信し得る。第1の伝送パラメータセットを送信するTRPは、第2の伝送パラメータセットを送信する少なくとも1つのTRPのうちの1つであり得る。言い換えると、第1の伝送パラメータセットを送信するTRPは第2の伝送パラメータセットの送信に関与する。あるいは、第1の伝送パラメータセットを送信するTRPは、少なくとも1つのTRPのうちの1つでない場合もある。言い換えると、第1の伝送パラメータセットを送信するTRPは第2の伝送パラメータセットの送信に関与しない。UEは、TRPによって送信された、送信されるべき第2の伝送パラメータセットの数情報を受信し、次いで、その数が数情報に対応する第2の伝送パラメータセットを検出し得る。第2の伝送パラメータセットは少なくとも1つのTRPによって送信され得る。例えば、図2Aに示される例として使用されるシングルポイント伝送では、TRP501は、UE402に、UE402に送信されるべき第2の伝送パラメータセットの数情報を送信し得る。例えば、数情報は1である。TRP501はUE402に第2の伝送パラメータセットを送信する。図2Bに示される協調マルチポイント送信／受信では、TRP503、TRP505、またはTRP507は、UE404に、UE404に送信されるべき第2の伝送パラメータセットの数情報を送信し得る。例えば、数情報は3である。この場合、TRP503、TRP505、およびTRP507はUE404に第2の伝送パラメータセットを各々送信する。数情報を受信した後、UE404は3つの第2の伝送パラメータセットが検出される必要があると判断し、次いで、TRP503、TRP505、およびTRP507によって別々に送信された第2の伝送パラメータセットを検出する。あるいは、図2Bに示される例では、第1の伝送パラメータセットを送信するTRPは第2の伝送パラメータセットの送信に関与しない。例えば、TRP503は、UE404に、UE404に送信されるべき第2の伝送パラメータセットの数情報を送信する。数情報は少なくとも1である。例えば、数情報は2である。この場合、TRP505およびTRP507はUE404に第2の伝送パラメータセットを各々送信する。数情報を受信した後、UE404は2つの第2の伝送パラメータセットが検出される必要があると判断し、次いで、TRP505およびTRP507によって別々に送信された第2の伝送パラメータセットを検出する。
【００６０】
本実施形態では、TRPはUEに送信されるべき第2の伝送パラメータセットの数情報を送信し、数情報を取得した後、UEは検出される必要のある第2の伝送パラメータセットの数を決定し、対応する数の第2の伝送パラメータセットを検出することができる。少なくとも1つのTRPは、シングルポイント伝送と協調マルチポイント送信／受信の両方において同じフォーマットの第2の伝送パラメータセットを使用することができ、第2の伝送パラメータセットを拡張する必要がなく、異なる伝送で第2の伝送パラメータセットのフォーマットを頻繁に変更する必要もない。したがって、TRPとUEの両方が異なる伝送を容易に実施することができる。
【００６１】
様々な既存の無線通信システムもまた、少なくとも1つのTRPが同じUEに送信されるべき第2の伝送パラメータセットの数情報を送信してもよく、少なくとも1つのTRPが同じUEに第2の伝送パラメータセットを送信してもよい本発明の本実施形態の解決策を使用し、すべての実施形態において提供される他の記載の解決策を使用するように構成され得る。これらのシステムには、例えば、符号分割多元接続（code division multiple access、CDMA）システム、時分割多元接続（time division multiple access、TDMA）システム、周波数分割多元接続（frequency division multiple access、FDMA）システム、直交周波数分割多元接続（orthogonal frequency division multiple access、OFDMA）システム、シングルキャリア周波数分割多元接続（single carrier FDMA、SC-FDMA）システム、および他のネットワークが含まれるがこれに限定されない。本発明の本実施形態における「ネットワーク」および「システム」という用語は区別なく使用され得る。CDMAネットワークは、ユニバーサル地上無線アクセス（universal terrestrial radio access、UTRA）やCDMA2000などの無線技術を実施することができる。UTRAはCDMA（WCDMA（登録商標））およびCDMAの別の変形を含み得る。CDMA2000は、暫定規格（interim standard、IS）2000（IS-2000）、IS-95規格、およびIS-856規格を含み得る。TDMAネットワークは、移動通信のためのグローバルシステム（global system for mobile communication、GSM（登録商標））などの無線技術を実施することができる。OFDMAネットワークは、進化型ユニバーサル地上無線アクセス（evolved UTRA、E-UTRA）、ウルトラモバイルブロードバンド（ultra mobile broadband、UMB）、IEEE 802.11（Wi-Fi）、IEEE 802.16（WiMAX）、IEEE 802.20、およびFlash OFDMAなどの無線技術を実施することができる。UTRAおよびE-UTRAはUMTSおよび進化型UMTSである。3GPPでは、E-UTRAの新しいUMTSリリースがロングタームエボリューション（long term evolution、LTE）およびLTEアドバンスト（LTE Advanced、LTE-A）で使用される。UTRA、E-UTRA、UMTS、LTE、LTE-A、およびGSM（登録商標）は、3GPP規格団体の文書に記録され、記載されている。CDMA2000およびUMBは、3GPP2規格団体の文書に記録され、記載されている。
【００６２】
LTEシステムの後続の進化型システム、新しい無線アクセス技術（new radio access technology）システム（「NR」システムと呼ばれ得る）、または5Gシステムまたは規格団体によって開発される任意の次世代システムにおいては、TRPが同じUEに送信されるべき第2の伝送パラメータセットの数情報を送信してもよく、少なくとも1つのTRPが同じUEに第2の伝送パラメータセットを送信してもよい。本発明の実施形態で提供されるすべての技術的解決法がこれらのシステムに適用され得る。
【００６３】
本発明の本実施形態では、TRPによってUEに送信された第1のパラメータセットはUEに送信されるべき第2の伝送パラメータセットの数情報を含み得る。UEに送信されるべき第2の伝送パラメータセットの数情報は、UEに、UEに送信されるべき第2の伝送パラメータセットの数を指示するために使用される。UEは、UEに送信されるべき第2の伝送パラメータセットの数情報を受信し、UEは、数情報に基づいて、受信される必要のある第2の伝送パラメータセットの数を決定し得る。任意選択で、送信されるべき第2の伝送パラメータセットの数情報は、伝送モードを一様に指示し得る。言い換えると、送信されるべき第2の伝送パラメータセットの異なる数情報は異なる伝送モードを指示し得る。例えば、送信されるべき第2の伝送パラメータセットの数情報が数は1であることを指示する場合、シングルポイント伝送モード、すなわち集中伝送モードまたは非協調伝送モードが指示され得る。送信されるべき第2の伝送パラメータセットの数情報が数な2以上であることを指示する場合、協調マルチポイント送信／受信モード、すなわち、分散伝送モードまたはジョイント伝送モードが指示され得る。UEは、送信されるべき第2の伝送パラメータセットの数情報に基づいて現在の伝送モードを決定し得る。
【００６４】
任意選択で、UEに送信されるべき第2の伝送パラメータセットの数情報は、UEに第2の伝送パラメータセットを送信する必要があるTRPの数に基づいて決定され得る。例えば、ただ1つのTRPがUEに第2の伝送パラメータセットを送信する必要がある場合、第2の伝送パラメータセットの数は1として構成され得る。あるいは、少なくとも2つのTRPが各々、同じ搬送波でUEに第2の伝送パラメータセットを送信する必要がある場合、第2の伝送パラメータセットの数はTRPの数に対応し得る。この場合、第2の伝送パラメータセットの数は2以上である。
【００６５】
任意選択で、UEに送信されるべき第2の伝送パラメータセットの数情報は固定値として構成されてもよく、固定値は1以上の整数であり得る。UEに送信されるべき第2の伝送パラメータセットの数が固定値として構成される場合、UEに送信されるべき第2の伝送パラメータセットの数情報は、UEに第2の伝送パラメータセットを送信する必要があるTRPの数と共に変動せず、UEは、その数が固定値である第2のパラメータセットを検出し得る。
【００６６】
任意選択で、第2の伝送パラメータセットの数の上限が設定され得る。言い換えると、第2の伝送パラメータセットの数は指定された閾値を超えない。閾値は2以上であり得る。閾値の値は全体のシステムリソース使用に基づいて決定され得る。UEに第2の伝送パラメータセットを送信する必要があるTRPの数が閾値を超えない場合、数情報は、同じ搬送波でUEに第2の伝送パラメータセットを送信する必要があるTRPの数に基づいて決定され得る。UEに第2の伝送パラメータセットを送信する必要があるTRPの数が閾値を超える場合、第2の伝送パラメータセットの数は閾値と等しい。過剰な第2の伝送パラメータセットの伝送を、第2の伝送パラメータセットの数の閾値を設定することによって制御することができる。このようにして、過剰な物理リソースの占有によって生じるシステム性能への影響が回避され、UEによる過剰な第2の伝送パラメータセットの処理の複雑さを減させることができ、処理中に発生するエネルギー消費を削減することができる。
【００６７】
本実施形態では、第1の伝送パラメータセットは第2の伝送パラメータセットを伝送するためのリソース情報をさらに含み得る。リソース情報は第2の伝送パラメータセットを伝送するための候補リソースを指示する。リソース情報は、第2の伝送パラメータセットを送信する必要がある少なくとも1つのTRPの各々によって必要とされるリソースに関する情報を含み得る。複数のTRPが各々第2の伝送パラメータセットを送信する必要がある場合、リソース情報は各TRPが第2の伝送パラメータセットを伝送するための候補リソースを指示する。リソース情報は、例えば、第2の伝送パラメータセットを搬送するサブバンド情報、制御チャネルリソース、リソースセット情報、擬似コロケーション（quasi co-location、QCL）情報などであり得る。任意選択で、少なくとも2つのTRPがそれぞれの第2の伝送パラメータセットを送信する必要がある場合、候補リソースは同じ搬送波上であり得るか、または異なる搬送波上であり得る。言い換えると、少なくとも2つのTRPは、同じ搬送波上または異なる搬送波上で同じUEにそれぞれの第2の伝送パラメータセットを送信し得る。協調マルチポイント送信／受信では、同じUEのための協調マルチポイント送信／受信を提供する少なくとも2つのTRPに対応する送信アンテナポートは異なるQCLグループに属し、異なるQCLパラメータを有する。異なるQCLグループ内のTRPのアンテナポートからUEまでのチャネルの大規模特性は異なる。大規模特性（large-scale property）は、例えば、チャネルに関する情報：平均利得、遅延スプレッド、平均遅延、ドップラー偏移、ドップラースプレッド、および受信側の空間特性（例えば、ビームの到達角度）、のうちの1つまたは複数であり得る。異なる地理的位置を有するTRPに対応するアンテナポートは非QCLであると見なされ得る。同じアンテナポートグループに属するアンテナポートはQCL条件を満たすと見なされ得る。異なるアンテナポートが対応するQCLパラメータに基づいてグループ化され、UEは対応する区別を行うよう命令されるので、UE側は、対応するQCLパラメータを使用して異なるアンテナポートのためのチャネル推定および信号復調を行い、それによってUE側のチャネル推定精度および復調性能が改善される。
【００６８】
本実施形態では、少なくとも2つのTRPが同じUEに第2の伝送パラメータセットを送信する必要がある場合、それら異なるTRPによって送信された第2の伝送パラメータセットは同じかまたは異なり得る。第1の伝送パラメータセットは第2の伝送パラメータセットのコンテンツ指示情報をさらに含み得る。第2の伝送パラメータセットのコンテンツ指示情報は、少なくとも2つのTRPによって送信された同じUEに第2の伝送パラメータセットが同じかそれとも異なるかを指示し得る。
【００６９】
任意選択で、少なくとも2つのTRPによって別々に送信される必要がある第2の伝送パラメータセットが異なる場合、第1の伝送パラメータセットはアンテナポートグループ化情報をさらに含み得る。アンテナポートグループ化情報は、データチャネルによる使用が可能なアンテナポートに関する情報を指示し得る。データチャネルは、物理下り共有チャネル（physical downlink shared channel、PDSCH）または物理上り共有チャネル（physical uplink shared channel、PUSCH）であり得る。第2の伝送パラメータセットは、PDSCHといくつかの復調参照信号（demodulation reference signal、DMRS）をさらに共有し得る。言い換えると、PDSCHと物理下り制御チャネルとはいくつかのDMRSを共有し得る。この場合、PDSCHと共有されるいくつかのDMRSは物理下り制御チャネルでチャネル推定および復調を行うために使用されて、物理下り制御チャネルでチャネル推定および復調を行うためにDMRSが別々に送信された場合に生じるパイロットオーバーヘッドを低減させ得る。
【００７０】
任意選択で、第1の伝送パラメータセットは、アンテナポートグループ情報に対応するQCLパラメータ構成情報をさらに含み得る。QCLパラメータ構成情報は、UEがチャネルを受信または復調するときに使用される必要があるQCLパラメータセットを決定するためにUEによって使用され得る。QCLパラメータセットは、第2のパラメータセットを搬送するチャネルおよび第2のパラメータセットを使用してスケジュールされたデータチャネルの少なくとも一方を受信または復調するために使用されるQCLパラメータセットを含む。例えば、QCLパラメータの複数のグループが、QCLパラメータ構成情報を使用して構成され得る。QCLパラメータの各グループの値は、チャネル状態情報参照信号（channel state information-reference signal、CSI-RS）、位相雑音参照信号（phase-noise reference signal、PN-RS）、同期チャネル、UE側の空間相関特性を表すパラメータ（例えば、到達角度や受信ビーム情報）などのうちの少なくとも1つに対応するチャネル大規模パラメータ値であり得る。例えば、QCLパラメータ構成情報は、対応するCSI-RSリソースまたはID、対応するPN-RSリソースまたはID、対応する同期チャネルリソースまたはID、UE側の空間相関特性を表すパラメータ（例えば、到達角度や受信ビーム情報）のリソースまたはIDなどのうちの少なくとも1つであり得る。
【００７１】
任意選択で、第2のパラメータセットを送信するためのアンテナポートと、第2のパラメータセットを使用してスケジュールされたデータチャネルを送信するためのアンテナポートとが異なるか、またはQCL要件を満たさない場合、第1の伝送パラメータセットに含まれるQCLパラメータ構成情報は、第2のパラメータセットを送信するためのアンテナポートと、第2のパラメータセットを使用してスケジュールされたデータチャネルを送信するためのアンテナポートのために別々に構成される必要がある。言い換えると、QCLパラメータ構成情報は、第2のパラメータセットを送信するためのアンテナポートのQCLパラメータ構成情報と、第2のパラメータセットを使用してスケジュールされたデータチャネルを送信するためのアンテナポートのQCLパラメータ構成情報とを含み得る。これら2つのタイプのQCLパラメータ構成情報は異なる。
【００７２】
任意選択で、第1の伝送パラメータセットは、アンテナポートグループに対応するQCLパラメータ指示情報をさらに含み得る。QCLパラメータ指示情報は、QCLパラメータ構成情報と共に、UEが、第2のパラメータセットを搬送するチャネルおよび第2のパラメータセットを使用してスケジュールされたデータチャネルの少なくとも一方でチャネル推定および信号復調を行うのを支援するために使用され得る。例えば、QCLパラメータセットの複数のグループがQCLパラメータ構成情報を使用して構成されてもよく、QCLパラメータ指示情報は、特定のチャネルまたは信号を搬送するアンテナポートに対応するQCLパラメータセットを指示し得る。QCLパラメータ指示情報は、第2のパラメータセットを搬送するチャネルおよび／または第2のパラメータセットを使用してスケジュールされたデータチャネルのアンテナポートの各グループに対応する特定のQCLパラメータ構成情報を指示する。
【００７３】
第1の伝送パラメータセットに含まれるQCLパラメータ構成情報が、第2のパラメータセットを送信するためのアンテナポートと、第2のパラメータセットを使用してスケジュールされたデータチャネルを送信するためのアンテナポートのために別々に構成される必要がある場合、これに対応して、第1の伝送パラメータセットは、第2の伝送パラメータセットを送信するためのアンテナポートのQCLパラメータ指示情報と、第2の伝送パラメータセットを使用してスケジュールされたデータチャネルに使用されるアンテナポートのQCLパラメータ指示情報とを含み得る。
【００７４】
本発明の本実施形態では、第1の伝送パラメータセットはランク（rank）情報をさらに含み得る。任意選択で、本発明の本実施形態におけるランク情報は、各物理層コードワードを伝送するためのランクを指示する情報であり得るか、または第2の伝送パラメータセットを使用してスケジュールされたデータを指示するランク情報であり得る。本実施形態では、2レベルのDCIでは、第2の伝送パラメータセットは1つのサブレベルDCI、例えば、第2レベルのDCIであり、ランク情報を含む第1の伝送パラメータセットは第1レベルのDCIであり得る。異なるTRPは、異なるQCLアンテナポートを使用してコードワード対レイヤマッピング規則に従って、それぞれの第2の伝送パラメータセットおよび第2のパラメータセットを使用してスケジュールされる対応するデータチャネルを送信し得る。
【００７５】
本発明の本実施形態では、第1の伝送パラメータセットはレイヤマッピング情報をさらに含んでいてもよく、レイヤマッピング情報はコードワード対レイヤマッピング関係を事前定義するために使用される。
【００７６】
本発明の本実施形態では、第1の伝送パラメータセットはビーム情報をさらに含み得る。ビーム情報は、送信ビーム情報、または受信ビーム情報、または送信受信ビーム対情報を含み得る。ビームは空間リソースとして理解されてもよく、エネルギー伝達指向性を有する送信プリコーディングベクトルおよび／または受信プリコーディングベクトルであり得る。送信プリコーディングベクトルおよび／または受信プリコーディングベクトルは、索引情報を使用して識別することができる。エネルギー伝達指向性は、特定の空間的位置で受信され、プリコーディングベクトルを使用してプリコードされた信号がより高い受信電力を有する、例えば、受信機の復調信号対雑音比を満たすことを意味し得る。エネルギー伝達指向性はまた、異なる空間的位置で送信され、プリコーディングベクトルを使用して受信された同じ信号が異なる受信電力を有することも意味し得る。同じ機器は異なるプリコーディングベクトルを有し得る。同時に異なる機器は異なるプリコーディングベクトルを有し得る、言い換えると、異なるビームに対応し得る。通信機器の構成または能力に関して、1つの通信機器は同じ瞬間に複数のプリコーディングベクトルのうちの1つまたは複数を使用し得る、言い換えると、1つまたは複数のビームが同時に形成され得る。ビーム情報は索引情報を使用して索引付けされ得る。索引情報は、UEの構成されたリソース識別子（identifier、ID）に対応し得る、例えば、構成されたCSI-RS IDもしくはリソースに対応し得るか、または構成された上りサウンディング参照信号（Sounding Reference Signal、SRS）IDもしくはリソースに対応し得るか、またはビームのものである、同期信号もしくはビーム上で送信されたブロードキャストチャネルによって指示される索引情報を含むがこれに限定されない、ビーム上で搬送される信号もしくはチャネルによって明示的もしくは暗黙的に搬送される索引情報であり得る。
【００７７】
本発明の本実施形態では、前述の第1の伝送パラメータセット内の1つまたは複数のタイプの情報が下りリンクスケジューリングに使用され得るか、または下りリンクスケジューリングに使用され得るか、または上りリンクスケジューリングと下りリンクスケジューリングの両方に使用され得る。
【００７８】
任意選択で、本発明の本実施形態では、前述のアンテナポートグループ化情報、ランク情報、レイヤマッピング情報、リソース割り振り結果情報、およびビーム情報は、第1の伝送パラメータセットには含まれず、送信のために第2の伝送パラメータセットに含まれ得る。任意選択で、第2の伝送パラメータセットはマルチレベルのDCI、例えば2レベルのDCIを含む。前述の情報は、第2の伝送パラメータセットの第1レベルのDCIに含まれ得る。任意選択で、制御チャネルとデータチャネルがDMRSを共有しない場合、制御チャネルのアンテナポートはデータチャネルのアンテナポートと異なる。制御チャネルのアンテナポートのアンテナポートグループ化情報、QCLパラメータ構成情報、QCLパラメータ指示情報などは、第1の伝送パラメータセットに含まれ、データチャネルのアンテナポートのアンテナポートグループ化情報、QCLパラメータ指示情報などは、第2の伝送パラメータセットに含まれる。任意選択で、第2の伝送パラメータセットがマルチレベルのDCI、例えば2レベルのDCIを含む場合、制御チャネルによって指示されるデータチャネルのアンテナポートのアンテナポートグループ化情報、QCLパラメータ指示情報などは、代替として第2の伝送パラメータセットの第1レベルのDCIに含まれ得る。
【００７９】
上りリンクスケジューリングでは、第2の伝送パラメータセットは、サブバンドプリコーディング情報と電力制御情報の少なくとも一方をさらに含み得る。任意選択で、第2の伝送パラメータセットがマルチレベルのDCI、例えば2レベルのDCIを含む場合、サブバンドプリコーディング情報は、第2の伝送パラメータセットの第2レベルのDCIに含まれていてもよく、電力制御情報は、第2の伝送パラメータセットの第1レベルのDCIまたは第2レベルのDCIに含まれていてもよい。
【００８０】
本実施形態では、任意選択で、1つの第2の伝送パラメータセットが、1つの物理層コードワードのリソース割り振り情報および変調符号化方式を指示し得る。これに対応して、第2の伝送パラメータセットの数はUEによって受信される必要のある物理層コードワードの数と同一であり得る。異なるコードワードは異なるレイヤにマップされ、アンテナポートグループ化情報によって指示される、異なるグループに属するアンテナポートを介して送信される。
【００８１】
任意選択で、第2の伝送パラメータセットが上りリンクスケジューリングを指示するために使用される場合、第2の伝送パラメータセットの数は、上り通信が同時に行われるビームセットの数であり得る。任意選択で、第2の伝送パラメータセットの数情報はUEのスケジュールされた上りコードワードの数に対応する。第2の伝送パラメータセットは、上りリンクでUEによって送信された第1レベルのビームを指示する情報、例えば、上りビームスキャンまたは正確な検出プロセスにおける測定によって取得されたビーム識別子、サウンディング参照信号（sounding reference signal、SRS）、ビームに対応する広帯域情報、およびロングタームプリコーディング行列インジケータ（precoding matrix indicator、PMI）情報（例えば、2レベルのコードブック構造で使用される第1レベルのコードブックW1）のうちの少なくとも1つをさらに含み得る。
【００８２】
本発明の本実施形態では、TRPはUEに送信されるべき制御情報の数情報を送信してもよく、N個の制御情報がUEに送信されるべきであり、Nは1以上の整数であり、ユーザ機器は、数情報に基づいて、N個の制御情報が検出される必要があると判断し、ユーザ機器はN個のTRPから制御情報を検出する。本実施形態では、第2の伝送パラメータセットが2レベルのDCIである場合、TRPは送信されるべき制御情報の数情報を第2の伝送パラメータセットの第1レベルのDCIでUEに送信し得る。言い換えると、伝送パラメータセットの第1レベルのDCIは送信されるべき制御情報の数情報を含み得る。送信されるべき制御情報の数が2以上である場合、第2の伝送パラメータセットの第1レベルのDCIは、第2の伝送パラメータセットの前述のコンテンツ指示情報と等価であるDCIコンテンツ指示情報をさらに含み得る。
【００８３】
DCIコンテンツ指示情報は、少なくとも2つの送信されるべき制御情報が同じであるかどうかを指示する。UEはこれに対応して、指示情報に基づいて少なくとも2つの制御情報を処理し得る。処理方法も上述された処理方法と同じである。具体的には、DCIコンテンツ指示情報が、少なくとも2つの送信されるべき制御情報が同じであることを指示する場合、UEは検出された少なくとも2つの制御情報を結合し得る。このようにして、ダイバーシチ利得を取得することができ、制御情報伝送の信頼度が向上する。DCIコンテンツ指示情報が、少なくとも2つの送信されるべき制御情報が異なることを指示する場合、UEは、データをさらに送信するために、異なるデータチャネルを別々に取得することを決定し得る。第2の伝送パラメータセットの第1レベルのDCIは前述のQCLパラメータ指示情報をさらに含み得る。任意選択で、第2の伝送パラメータセットの第1レベルのDCIは、各擬似コロケーションコードワードを伝送するためのランクを指示する情報をさらに含み得る。任意選択で、第2の伝送パラメータセットの第1レベルのDCIはランク情報をさらに含み得る。任意選択で、ランク情報は、各物理層コードワードを伝送するためのランクを指示する情報であり得るか、または制御情報を使用してスケジュールされたデータのランク情報であり得る。第2の伝送パラメータセットの第1レベルのDCIはビーム情報をさらに含む。ビーム情報は、第2の伝送パラメータセットの第2レベルのDCIの送信ビームを指示するか、または第2の伝送パラメータセットの第2レベルのDCIの受信ビームを指示するか、または第2の伝送パラメータセットの第2レベルのDCIの送信ビームと受信ビームとを指示する。制御情報は第2の伝送パラメータセットの第2レベルのDCIを使用して送信され得る。前述の実施形態に記載される様々な他のパラメータも、前述のように第1の伝送パラメータセットで送信され得るか、または第2の伝送パラメータセットで送信され得る。前述の実施形態に記載されるコンテンツは、伝送パラメータセットの第1レベルのDCIが送信されるべき制御情報の数情報を含み得る実施態様に適用され得る。
【００８４】
図2Aおよび図2Bに示される通信システムに関連して、図3に示されるように、本発明の一実施形態は、通信方法、具体的には情報取得方法を提供する。本方法では、TRPはUEに送信されるべき制御情報の数情報を送信してもよく、N個の制御情報がUEに送信されることになっており、Nは1以上の整数であり、ユーザ機器は、数情報に基づいて、N個の制御情報が検出される必要があると判断し、ユーザ機器はN個のTRPから制御情報を検出する。ステップ301で、TRPはUEに送信されるべき制御情報の数情報を送信し、UEは送信されるべき制御情報の数情報を受信する。
【００８５】
本実施形態では、第1の伝送パラメータセットが送信されるべき制御情報の数情報を含み得る。制御情報は第2の伝送パラメータセットを使用して送信される。具体的には、TRPはUEに第1の伝送パラメータセットを送信する。第1のパラメータセットは送信されるべき第2の伝送パラメータセットの数情報を含む。
【００８６】
図3に示される例では、第1のTRPが第1の伝送パラメータセットを送信し得る。第1のTRPは、図2Aに示される通信システムの実施態様におけるTRP501であり得る。あるいは、図2Bに示される通信システムの実施態様におけるTRP503、TRP505、またはTRP507がUE404に第1の伝送パラメータセットを送信する。
【００８７】
本実施形態では、第1の伝送パラメータセットは、送信されるべき第2の伝送パラメータセットの数情報と、前述の実施形態に記載される、第1の伝送パラメータセットに含まれ得る情報とを含み得る。
【００８８】
本実施形態では、同じ搬送波で伝送される第2の伝送パラメータセットの数情報がUEに指示される。これによりマルチポイント伝送をサポートできるのみならず、UEの単一接続伝送との後方互換性をうまく実現することもできる。
【００８９】
本発明の本実施形態では、第1の伝送パラメータセットは異なる方法でUEに送信され得る。
【００９０】
任意選択で、第1の伝送パラメータセットは、無線リソース制御（radio resource control、RRC）メッセージを使用して送信され得る。例えば、第1の伝送パラメータセットは、RRCメッセージを使用してUEの初期アクセスプロセス、ハンドオーバプロセス、RRC認識プロセスなどで送信され得る。RRCメッセージは、別の無線リソースを構成するために使用される情報要素（information element、IE）をさらに含み得る。無線リソースは、物理下り共有チャネル、物理上り共有チャネル、物理上り制御チャネル、チャネル状態測定参照信号（channel state information-reference signal、CSI-RS）、上りサウンディング参照信号（sounding reference signal、SRS）などのうちの1つまたは複数に対応し得る。RRCメッセージは代替として、第1の伝送パラメータセットのみを搬送してもよい。第1の伝送パラメータセットはRRCメッセージを使用して送信されるので、制御チャネルリソースを節約することができる。加えて、RRCメッセージはPDSCHによって搬送される。したがって、第1の伝送パラメータセットを、比較的低い符号化率で比較的低い変調次数を使用して送信することができ、伝送信頼性が保証される。
【００９１】
任意選択で、第1の伝送パラメータセットは媒体アクセス制御（medium access control、MAC）制御要素（control element、CE）を使用して送信され得る。MAC CEは、第1のパラメータセット内の一部または全部の情報を搬送し得る。MAC CEは、UEによって受信されるPDCCHを指示するために使用される関連情報を搬送する。第1の伝送パラメータセットはMAC CEを使用して送信されるので、PDCCHの構成を比較的迅速に更新することができ、実際の物理チャネルをより適切にマッチさせることができる。
【００９２】
任意選択で、第1の伝送パラメータセットは完全なフォーマットのDCIを使用して送信され得る。例えば、本発明の本実施形態における通信システムが少なくとも2つの完全なフォーマットのDCIを提供する場合、第1の伝送パラメータセットは完全なフォーマットのDCIで送信され得る。
【００９３】
任意選択で、本発明の本実施形態では、マルチレベルのDCIが提供される場合、第1の伝送パラメータセットは第1レベルのDCIを使用して送信され得る。この場合、第2の伝送パラメータセットは第2レベルのDCIを使用して送信され得る。
【００９４】
任意選択で、ステップ301で、送信されるべき制御情報の数情報は、第2の伝送パラメータセットの第1レベルのDCIを使用して送信され得る。言い換えると、第1のTRPはUEに第2の伝送パラメータセットの第1レベルのDCIを送信し、第1レベルのDCIは送信されるべき制御情報の数情報を含む。
【００９５】
ステップ302で、少なくとも1つのTRPが同じUEに制御情報を送信し得る。
【００９６】
本実施形態では、第1の伝送パラメータセットが送信されるべき制御情報の数情報を含む場合、制御情報は第2の伝送パラメータセットを使用して送信され、少なくとも1つのTRPは同じUEに第2の伝送パラメータセットを送信する。
【００９７】
本実施形態では、第1の伝送パラメータセットを送信するTRPは、第2の伝送パラメータセットを送信する少なくとも1つのTRPのうちの1つであり得る。言い換えると、第1の伝送パラメータセットを送信するTRPは第2の伝送パラメータセットの送信に関与する。あるいは、第1の伝送パラメータセットを送信するTRPは、少なくとも1つのTRPのうちの1つでない場合もある。言い換えると、第1の伝送パラメータセットを送信するTRPは第2の伝送パラメータセットの送信に関与しない。例えば、ステップ302で、第1のTRPはUEに第2の伝送パラメータセットを送信し得る。任意選択で、第1のTRPはUEに第2の伝送パラメータセットを送信し得る。
【００９８】
UEは、第1の伝送パラメータセットに含まれる、UEに送信されるべき第2の伝送パラメータセットの数情報に基づいて、受信される必要のある第2の伝送パラメータセットの数を決定し、対応する決定された数の第2の伝送パラメータセットを検出し得る。UEが、N個の第2の伝送パラメータセットが受信される必要があると判断した場合、UEはN個の第2の伝送パラメータセットを検出し、Nは1以上の整数である。
【００９９】
マルチポイント伝送では、第1の伝送パラメータセットは、UEに送信されるべき第2の伝送パラメータセットの数情報を含み、指示される送信されるべき第2の伝送パラメータセットの数は少なくとも2である。この場合、UEは、受信される必要がある第2の伝送パラメータセットの数Nは2以上の整数であると判断する。TRPはUEに送信されるべき第2の伝送パラメータセットの数情報を送信する。数情報を取得した後、UEは検出される必要のある第2の伝送パラメータセットの数を決定することができ、UEは対応する数の第2の伝送パラメータセットを検出する。協調マルチポイント送信／受信では、異なるTRPが同じフォーマットの第2の伝送パラメータセットを使用することができ、第2の伝送パラメータセットを拡張する必要がなく、異なる伝送で第2の伝送パラメータセットのフォーマットを頻繁に変更する必要もない。したがって、TRPとUEの両方が異なる伝送を容易に実施することができる。
【０１００】
例えば、UEは、受信されるべき第2の伝送パラメータセットの数に基づき、リソース情報に指定された候補リソース上の第2の伝送パラメータをブラインド検出し得る。1つの第2の伝送パラメータセットが受信される必要がある場合、UEは、TRPはスケジューリングユニットにおいてただ1つの第2の伝送パラメータセットを送信すると見なし、候補リソース上でブラインド検出を行う。1つの第2の伝送パラメータセットが検出された場合、UEは、受信される必要のあるすべての第2の伝送パラメータセットが検出されたと見なし、検出を完了する。2つの第2の伝送パラメータセットが受信される必要がある場合、UEは、リソース情報に指定された候補リソース上の2つの第2の伝送パラメータセットを検出する。2つの第2の伝送パラメータセットが検出された場合、UEは検出を完了する。2つの第2の伝送パラメータセットの検出が完了し、すべての候補リソース上の検出が完了した後にただ1つの第2の伝送パラメータセットが検出された場合、UEは、ただ1つの第2の伝送パラメータセットがネットワーク側でスケジューリングユニットにおいて送信されたと見なし、第2の伝送パラメータセットによって指示される制御情報に基づいてデータの受信や送信などの次のステップを行う。
【０１０１】
図2Aに示される伝送モードでは、UE402はTRP501によって送信された第2の伝送パラメータセットを受信し得る。図1Bに示される伝送モードでは、第1の伝送パラメータセットを送信するTRPが第2の伝送パラメータセットの送信に関与する場合、UE404は、TRP503、TRP505、およびTRP507によって別々に送信された第2の伝送パラメータセットを受信し得る。第1の伝送パラメータセットを送信するTRPが第2の伝送パラメータセットの送信に関与しないときに、TRP503が第1の伝送パラメータセットを送信した場合、UE404は、TRP505およびTRP507によって別々に送信された第2の伝送パラメータセットを受信し得る。
【０１０２】
本発明の本実施形態で提供される協調マルチポイント送信／受信では、少なくとも2つのTRPが同じUEに第2の伝送パラメータセットを別々に送信し得る。少なくとも2つのTRPによって別々に送信された第2の伝送パラメータセットは同じフォーマットを有し得る。言い換えると、第2の伝送パラメータセットを別々に搬送するPDCCHが同じDCIフォーマットを有する。UEは同じDCIフォーマットを有するPDCCHを検出し得る。協調マルチポイント送信／受信では、TRPによって別々に送信された第2の伝送パラメータセットのフォーマットも、シングルポイント伝送においてTRPによって送信された第2の伝送パラメータセットのフォーマットと同じであり得る。
【０１０３】
任意選択で、少なくとも2つのTRPによって同じUEに別々に送信された第2の伝送パラメータセットは、同じコンテンツを有し得るか、または異なるコンテンツを有し得る。UEによって受信された第1の伝送パラメータセットが第2の伝送パラメータセットのコンテンツ指示情報を含む場合、UEは、対応する処理をさらに行うために、指示情報に基づいて、第2の伝送パラメータセットが同じコンテンツを有するかどうかを判断する。第2の伝送パラメータセットのコンテンツ指示情報が、少なくとも2つのTRPによって同じUEに別々に送信された第2の伝送パラメータセットが同じである場合、UEは、少なくとも2つの第2の伝送パラメータセットを独立して、または一緒に受信し、それらを結合して、第2の伝送パラメータセットの伝送の信頼度を向上させ得る。第2の伝送パラメータセットのコンテンツ指示情報が、少なくとも2つのTRPによって同じUEに送信された第2の伝送パラメータセットが異なることを指示する場合、UEは各第2の伝送パラメータセットを独立して復調し、コンテンツを結合せず、下りデータ受信と上りデータ送信の少なくとも一方を含む、第2の伝送パラメータセットに基づくデータスケジューリングおよび伝送を行う。
【０１０４】
例えば、少なくとも2つのTRPによって送信された第2の伝送パラメータセットは同じコンテンツを有し得る。TRPのうちの1つとUEとの間のリンクが中断されるか、またはTRPのうちの1つがリンクで第2の伝送パラメータセットを正常に送信しなかった場合、その他のTRPはUEに第2の伝送パラメータセットを送信し得る。したがって、第2の伝送パラメータセットの送信の信頼度を向上させることができる。特に、例えば、高周波数（high frequency、HF）シナリオでは、TRPが狭帯域を使用してUEと通信し、高周波数通信は回折特性が比較的低い。この場合、妨害が発生しやすい。例えば、正常な通信において、通信リンクが可動オブジェクトによって突然妨害される。妨害が発生すると、正常に動作する通信リンクが容易に中断される。したがって、本発明の本実施形態によれば、第2の伝送パラメータセットの送信の信頼度を向上させることができる。
【０１０５】
あるいは、例えば、少なくとも2つのTRPによって送信された第2の伝送パラメータセットは異なるコンテンツを有し得る。したがって、本発明の本実施形態で提供される解決策によれば、非コヒーレントなジョイント伝送（non-coherent joint transmission、NCJT）を実施することができる。各TRPは同じUEに異なる第2の伝送パラメータセットを独立して送信してもよく、対応する第2の伝送パラメータセットはUEのための対応するTRPのスケジューリング情報を指示する。したがって、各TRPはデータスケジューリングを独立して行い、UEにデータを独立して送信することができ、それによってNCJTが実施され、制御チャネルでUEによって行われるブラインド検出の回数が低減される。
【０１０６】
任意選択で、協調マルチポイント送信／受信では、少なくとも2つのTRPは同じ搬送波で同じUEに第2の伝送パラメータセットを別々に送信し得るか、または異なる搬送波で同じUEに第2の伝送パラメータセットを別々に送信し得る。
【０１０７】
任意選択で、協調マルチポイント送信／受信では、サブレベルDCIを含む完全なフォーマットのDCIについて、第2の伝送パラメータセットは1つのサブレベルDCI、例えば第2レベルのDCIである。第1の伝送パラメータセットがランク情報を含む場合、UEは、受信されたランク情報を使用してコードワード対レイヤマッピング規則に従ってデータ伝送のためのレイヤ情報およびポート情報を取得し得る。第1の伝送パラメータセットが、コードワードに対応するQCLパラメータ構成情報または第2の伝送パラメータセットを搬送する制御チャネルに対応するQCLパラメータ構成情報をさらに含む場合、UEは、QCLパラメータ構成情報を受信した後で、復調でチャネル推定および復調を行い得る。
【０１０８】
任意選択で、ステップ301で、送信されるべき制御情報の数情報が第2の伝送パラメータセットの第1レベルのDCIを使用して送信され得る場合、少なくとも1つのTRPは、第2の伝送パラメータセットの第2レベルのDCIを使用して制御情報を送信し得る。言い換えると、第2の伝送パラメータセットは制御情報を含む。
【０１０９】
任意選択で、第2の伝送パラメータセットを受信した後に、本方法はステップ303をさらに含み得る。ステップ303で、UEは、制御情報によって指示されるデータチャネルを介して少なくとも1つのTRPにデータをさらに送信し得る。
【０１１０】
本発明の本実施形態で提供される協調マルチポイント送信／受信では、少なくとも2つのTRPは、データ伝送を独立してスケジュールするために、第2の伝送パラメータセットまたは制御情報を独立して送信する。異なる搬送波がある場合、異なるTRPと同じUEとの間のデータ伝送は、同じ搬送波または異なる搬送波で行われ得る。独立してプリコードされるデータが同じ場合もあり、したがってデータ伝送信頼度を向上させることができる。あるいは、独立してプリコードされるデータが異なる場合もあり、したがってシステム全体のデータ伝送容量を向上させることができる。したがって、本発明の本実施形態における解決策によれば、データ伝送信頼度を向上させることができ、システムのデータ伝送容量を向上させることができる。
【０１１１】
本発明の本実施形態では、送信されるべき制御情報の数情報または送信されるべき第2の伝送パラメータセットの数情報は伝送モードを一様に指示してもよく、例えば、シングルポイント伝送とマルチポイント伝送とを区別するためのシングルポイント伝送モードまたはマルチポイント伝送モードを指示し得る。言い換えると、送信されるべき第2の伝送パラメータセットの数情報または送信されるべき制御情報の数情報は異なる伝送モードを指示し得る。任意選択で、本実施形態では、伝送モードとチャネル状態情報測定構成パラメータとは分離され得る。チャネル状態情報測定構成パラメータは、CSI-RSチャネル測定構成、チャネル干渉測定構成、チャネル状態情報フィードバックモード構成、新しい状態情報フィードバック周期構成などを含む。シングルポイント伝送モードおよびマルチポイント伝送モードは、制御情報の数情報または第2の伝送パラメータセットの数情報によって指示され得る。チャネル状態情報測定構成パラメータは、伝送モードを指示する情報とバインドされて送信されず、他の上位層シグナリングおよび／または物理層シグナリングを使用して送信される。このようにして、チャネル状態情報測定およびフィードバックの正確さを向上させることができ、通信が実際のチャネル変化に効果的に適応することができ、通信効率が改善される。例えば、TRPがUEに制御情報の数情報または第2の伝送パラメータセットの数情報を送信してもよく、数情報が1である場合、UEは現在の伝送モードが非協調伝送であると判断する。TRPは、UEに複数のチャネルの品質を測定するよう命令するために、チャネル変化に基づいてUEにチャネル状態情報測定構成パラメータを送信し得る。複数のチャネルがマルチポイント伝送を満たす場合、協調伝送が行われ得る。TRPはまず、第2の伝送パラメータセットの数情報または制御情報の数情報を、DCI、MAC CE、または階層的DCIの形態で送信し得る。数情報が2以上である場合、UEは協調マルチポイント送信／受信に即時に切り替わり得る。あるいは、UEは、協調マルチポイント送信／受信から非協調伝送に迅速かつ動的に切り替わり得るので、通信が実際のチャネル変化に効果的に適応することができ、通信効率が改善される。
【０１１２】
本発明の本実施形態では、第1のパラメータセット内のQCL関連情報が動的に構成されてもよく、第1のパラメータセットが非動的に構成される場合、動的ポイント選択（dynamic point selection、DPS）協調伝送がさらに実施され得る。N個のTRPが候補TRPノードとして選択されてもよく、Nは2以上の整数である。M個のTRPが同じUEにデータを送信するために候補TRPの中から動的に選択され、1≦M≦Nである。本実施形態では、TRPによってUEに送信される第2の伝送パラメータセットの数情報または制御情報の数情報はNであり、したがって、UEは候補リソース上でN個の第2の伝送パラメータセットまたはN個の制御情報を検出する。M個のTRPのみが協調伝送に関与するために選択されるので、UEはM個の第2の伝送パラメータセットまたはM個の制御情報のみを選択することができる。第2の伝送パラメータセットの数情報または制御情報の数情報の有効期間内に、ネットワーク側は、第2の伝送パラメータセットの数情報または制御情報の数情報を送信するためにN個のノードの中から任意の数のTRPを動的に選択し得る。UEは最大N個のノードについて検出を行うので、協調伝送に関与するTRPが変化する都度、UEに第2の伝送パラメータセットの対応する数情報または制御情報の対応する数情報を通知する必要はない。このシナリオでは、ネットワーク側は第1のパラメータセットを搬送するために使用される上位層シグナリングまたは物理層シグナリングを頻繁に配信する必要はなく、UEは頻繁に受信を行う必要がない。これによりエアインターフェースリソースが節約されるのみならず、UEのエネルギー消費も削減される。
【０１１３】
本発明の本実施形態では、複数の第2の伝送パラメータセットまたは複数の制御情報のマルチTRP協調伝送がサポートされ得る。複数の第2のパラメータセットの数情報または複数の制御情報の数情報は、複数のPDCCHまたは複数のDCIに対応し得る。各DCIまたは各PDCCHを特定のTRPのスケジューリング情報を伝送するために使用することができる。非コヒーレントなジョイント伝送を非理想的バックホールでサポートするために、異なるTRPは独立してリソースをスケジュールし、データを送信し、各TRPはPDCCHを独立して送信する。この場合、各DCIは関連するTRPのリソーススケジューリング情報を搬送し、1つのDCIを使用してスケジュールされたデータチャネルに対応するすべてのDMRSは擬似コロケートしていると見なされ得る。シングルTRP伝送と比較して、NCJT伝送では、すべてのDCIのフォーマットが同じであり、違いは、UEが異なるTRPからの少なくとも2つのDCIまたは少なくとも2つのPDCCHを検出する必要があることに存する。加えて、複数の第2の伝送パラメータセットまたは複数の制御情報がサポートされるので、制御チャネルの信頼度を向上させることができ、特に、高周波数チャネルのシナリオで発生する妨害が低減される。この場合、異なるTRPは同じターゲットUEに同じ制御情報を送信し得る。同じ制御情報を有するDCIの数は第1の伝送パラメータセットにおいて構成され得る。UEがこれらのDCIを受信すると、ターゲットUEはこれらのDCIを結合してダイバーシチ利得を取得し得る。したがって、第1の伝送パラメータセットは異なるTRPによって送信された物理層制御チャネルまたは制御情報を指示し得る。
【０１１４】
第1の伝送パラメータセット内のほとんどのパラメータは、半静的に構成することができ、RRCメッセージを使用して構成され得る。しかしながら、協調伝送では、第1の伝送パラメータセット内のいくつかのパラメータ構成の伝送期間は、数個または数十個でさえもの伝送時間間隔（transmission time interval、TTI）であり得る。したがって、関連する構成はレイヤ1またはレイヤ2を使用して行われ得る。それらいくつかのパラメータ構成は、本発明に記載される、第2の伝送パラメータセットの数の構成または制御情報の数の構成、第2の伝送パラメータセットが同じコンテンツを有するかどうかまたは制御情報が同じコンテンツを有するかどうかを指示する構成などを含み得る。
【０１１５】
第1の伝送パラメータセットは半静的に構成され得る。マルチポイント伝送における伝送方式（transmission scheme）セット指示および半静的構成／指示は各々、十分に長いシグナリング期間を有していてよく、レイヤ3設計に適用可能である。複数の異なるTRPからの複数のレイヤ1制御チャネルまたは複数のレイヤ1制御情報の指示は各々、少なくとも数個のTTIおよび多くとも数十個のTTIであるはずのシグナリング期間を有し、レイヤ1またはレイヤ2において設計され得る。したがって、第1の伝送パラメータセットは、レイヤ3伝送方式セット指示、複数のTRPによって送信される半静的構成／指示、および複数の異なるTRPからの複数のレイヤ1制御チャネルまたは複数のレイヤ1制御情報のレイヤ1またはレイヤ2指示のうちの少なくとも1つをサポートし得る。
【０１１６】
図4Aおよび図4Bは各々、本発明によるUEの一実施形態の概略図である。図に示されるUE40は、図2A、図2B、および図3に示される実施形態におけるUE402またはUE404であり得る。図4Aおよび図4Bに示される実施形態におけるUE40は、すべての前述の実施形態に記載される第1の伝送パラメータセットおよび／または第2の伝送パラメータセットのすべてのコンテンツを含む、図2A、図2B、および図3に示される実施形態におけるUE402またはUE404によって実施されるコンテンツを実施するように構成され得る。
【０１１７】
図4Aに示されるUE40は、送受信機410とプロセッサ420とを含み、メモリ430とモデムプロセッサ440とをさらに含み得る。
【０１１８】
送受信機410は、出力サンプルを調整し（例えば、アナログ変換、フィルタリング、増幅、およびアップコンバージョンを行い）、上り信号を生成する。上り信号はアンテナを介して前述の実施形態においてTRP50に送信される。下りリンクでは、アンテナは前述の実施形態においてTRP50によって送信された下り信号を受信する。送受信機410は、アンテナから受信された信号を調整し（例えば、フィルタリング、増幅、ダウンコンバージョン、およびデジタル化を行い）、入力サンプルを提供する。例えば、送受信機410は、TRPによって送信された、送信されるべき制御情報の数情報を受信してもよく、少なくとも1つのTRPによって送信された制御情報をさらに受信してもよい。さらに、送受信機410は、少なくとも1つのTRPによって送信された下りデータを受信するか、または少なくとも1つのTRPに上りデータを送信し得る。モデムプロセッサ440では、符号器4401が、上りリンクで送信されることになっているサービスデータおよびシグナリングメッセージを受信し、サービスデータおよびシグナリングメッセージを処理する（例えば、フォーマットし、符号化し、インターリーブする）。変調器4402が、符号化されたサービスデータおよび符号化されたシグナリングメッセージをさらに処理し（例えば、シンボルマッピングおよび変調を行い）、出力サンプルを提供する。復調器4404が、入力サンプルを処理し（例えば、復調し）、シンボル推定を提供する。復号器4403が、シンボル推定を処理し（例えば、デインターリーブし、復号し）、UEに送信される復号されたデータおよび復号されたシグナリングメッセージを提供する。符号器4401、変調器4402、復調器4404、および復号器4403は、複合モデムプロセッサ440によって実装され得る。これらの構成要素は、無線アクセスネットワークによって使用される無線アクセス技術に従って処理を行う。
【０１１９】
プロセッサ420はUE40の動作を制御および管理して、前述の実施形態においてUE402またはUE404によって行われる処理を行う。例えば、プロセッサ402は、送信されるべき制御情報の数情報に基づいて、受信される必要のある制御情報の数を決定し、対応する決定された数の制御情報を検出し得る。プロセッサ402は、本発明の本実施形態におけるUEのコンテンツを実施する際にUE40をサポートするように構成される。メモリ430は、UE40によって使用されるプログラムコードおよびデータを格納するように構成される。
【０１２０】
図4Bに示されるように、本発明の一実施形態はUE40の別の例を提供する。UE40は、送受信部411と処理部421とを含む。送受信部411は、TRPによって送信された、送信されるべき制御情報の数情報を受信するように構成されてもよく、少なくとも1つのTRPによって送信された制御情報を受信してもよく、少なくとも1つのTRPによって送信された下りデータをさらに受信し得るか、または少なくとも1つのTRPに上りデータを送信し得る。処理部421は、送信されるべき制御情報の数情報に基づいて、受信される必要のある制御情報の数を決定し、対応する決定された数の制御情報を検出するように構成され得る。
【０１２１】
図5Aおよび図5Bは各々、本発明の一実施形態によるTRP50の概略的構造図である。図5Aおよび図5Bに示されるTRP50はTRP、例えば、図2A、図2B、および図3に示される実施形態における、TRP501、TRP503、またはTRP505であり得る。図5Aおよび図5Bに示される実施形態におけるTRP50は、すべての前述の実施形態においてTRPによって実施されるコンテンツを実施するように構成され得る。
【０１２２】
図5Aに示されるTRP50は、プロセッサ510と、送受信機520と、メモリ530とを含む。送受信機520は、前述の実施形態においてUE50との間で情報を送受信する際にTRP50をサポートするように構成され得る。例えば、プロセッサ510は、送信されるべき制御情報の数情報を決定し得る。送受信機520は、UEに送信されるべき制御情報の数情報を送信すし、UEに制御情報を送信し得る。さらに、送受信機520は、UEに下りデータをさらに送信し、UEによって送信された上りデータを受信し得る。TRP50はメモリ530をさらに含み得る。メモリ530は、TRP50のプログラムコードおよびデータを格納するように構成され得る。図5Aおよび図5Bは各々、TRP50の簡略化された実施態様を示すにすぎないことが理解されよう。
【０１２３】
図5Bに示されるTRP50は、処理部511と送受信部521とを含む。処理部511は、送信されるべき制御情報の数情報を受信するように構成され得る。送受信部521は、UEに送信されるべき制御情報の数情報を送信するように構成されてもよく、UEに制御情報を送信し得る。さらに、送受信部521は、UEに下りデータをさらに送信し、UEによって送信された上りデータを受信し得る。
【０１２４】
当業者であれば、情報および信号が、任意の技術的方法（technology techniques）、例えば、データ（data）、命令（instructions）、コマンド（command）、情報（information）、信号（signal）、ビット（bit）、シンボル（symbol）、およびチップ（chip）を使用して指示され得る、電圧、電流、電磁波、磁界、磁性粒子（magnetic particle）、ライトフィールド、光学粒子（optical particles）、またはそれらの任意の組み合わせを使用して指示され得ることを理解することができる。
【０１２５】
当業者であれば、本発明の実施形態に記載される様々な例示の論理ブロック（illustrative logical block）およびステップ（step）が、電子ハードウェア、コンピュータソフトウェア、またはそれらの組み合わせを使用して実施され得ることをさらに理解し得る。ハードウェアとソフトウェアとの間の互換性（interchangeability）を明確に表示するために、前述の様々な例示的な構成要素（illustrative components）およびステップの機能は一般的に記載されている。それらの機能がハードウェアを使用して実施されるかそれともソフトウェアを使用して実施されるかは、個々の用途およびシステム全体の実施要件に依存する。当業者は様々な方法を使用して個々の用途ごとに機能を実施し得るが、この実施態様が本発明の実施形態の保護範囲を超えることを理解すべきではない。
【０１２６】
本発明の実施形態に記載される様々な例示的な論理ブロック、モジュール、および回路は、記載の機能を実施または動作させるために、汎用プロセッサ、デジタル信号プロセッサ、特定用途向け集積回路（ASIC）、フィールドプログラマブルゲートアレイ（FPGA）もしくは別のプログラム論理装置、ディスクリートゲートもしくはトランジスタロジック、ディスクリートハードウェアコンポーネント、またはそれらの任意の組み合わせによって実装され得る。汎用プロセッサはマイクロプロセッサであり得る。任意選択で、汎用プロセッサは、任意の従来のプロセッサ、コントローラ、マイクロコントローラ、または状態機械であり得る。あるいは、プロセッサは、デジタル信号プロセッサとマイクロプロセッサ、複数のマイクロプロセッサ、1つもしくは複数のマイクロプロセッサとデジタル信号プロセッサコア、または任意の他の同様の構成などの、コンピューティング装置の組み合わせによって実装され得る。
【０１２７】
本発明の実施形態に記載される方法またはアルゴリズムのステップは、ハードウェア、プロセッサによって実行されるソフトウェア、またはそれらの組み合わせに直接組み込まれ得る。ソフトウェアモジュールは、RAMメモリ、フラッシュメモリ、ROMメモリ、EPROMメモリ、EEPROMメモリ、レジスタ、ハードディスク、リムーバブル磁気ディスク、CD-ROM、または当分野の任意の他の形態の記憶媒体に格納され得る。例えば、記憶媒体は、プロセッサが記憶媒体から情報を読み取り、記憶媒体に情報を書き込むように、プロセッサに接続され得る。任意選択で、記憶媒体はプロセッサに統合され得る。プロセッサおよび記憶媒体はASIC内に配置されてもよく、ASICはユーザ端末内に配置されてもよい。任意選択で、プロセッサおよび記憶媒体は、ユーザ端末の異なる構成要素内に配置されてもよい。
【０１２８】
1つまたは複数の例示的実施態様において、本発明の実施形態に記載される前述の機能は、ハードウェア、ソフトウェア、ファームウェア、またはそれらの任意の組み合わせによって実装され得る。機能がソフトウェアによって実装される場合、機能は、1もしくは複数の命令もしくはコードの形態でコンピュータ可読媒体に格納され得るか、またはコンピュータ可読媒体に伝送され得る。コンピュータ可読媒体は、コンピュータ記憶媒体またはコンピュータプログラムがある場所から別の場所に移動することを可能にする通信媒体を含む。記憶媒体は、任意の汎用または専用コンピュータによってアクセスされ得る利用可能な媒体であり得る。例えば、そのようなコンピュータ可読媒体には、RAM、ROM、EEPROM、CD-ROM、別の光ディスク記憶、別の磁気ディスク記憶、または別の磁気記憶装置、またはプログラムコードを搬送もしくは格納するために使用され得る任意の他の媒体であって、プログラムコードが命令もしくはデータ構造の形態であるか、または汎用もしくは専用コンピュータまたは汎用もしくは専用プロセッサが読み取ることのできる形態である、媒体が含まれ得るがこれに限定されない。加えて、任意の接続もコンピュータ可読媒体として適切に定義され得る。例えば、ソフトウェアが、ウェブサイト、サーバ、または別のリモートリソースから、同軸ケーブル、光ファイバ、ツイストペア、デジタル加入者線（DSL）を使用して、または赤外線方式、無線方式、マイクロ波方式などの無線方式で伝送される場合、ソフトウェアは定義されるコンピュータ可読媒体に含まれる。ディスク（disk）およびディスク（disc）は、圧縮ディスク、レーザディスク、光ディスク、DVD、フロッピーディスク、およびブルーレイディスクを含む。diskは通常、磁気的手段によってデータを複製し、discは通常、レーザー手段によって光学的にデータを複製する。前述の組み合わせもコンピュータ可読媒体に含まれ得る。
【０１２９】
当業者であれば、本発明における本明細書の以上の説明に基づいて本発明の内容を使用または実施し得る。開示の内容に基づくいかなる改変形態も当分野において自明と見なされるものである。本発明に記載される基本原理は、本発明の本質および範囲を逸脱することなく他の変形形態に適用され得る。したがって、本発明に開示される内容は記載の実施形態および実施態様に限定されず、本発明の原理および開示の新規の特徴と一致する最大限の範囲まで拡大適用され得る。
【符号の説明】
【０１３０】
20  通信システム
40  UE
50  TRP
404  UE
410  送受信機
411  送受信部
420  プロセッサ
421  処理部
430  メモリ
440  モデムプロセッサ
503  TRP
505  TRP
507  TRP
510  プロセッサ
511  処理部
520  送受信機
521  送受信部
530  メモリ
4401  符号器
4402  変調器
4403  復号器
4404  復調器
【図１】
2020504540.tif 000003
【図２Ａ】
2020504540.tif 000004
【図２Ｂ】
2020504540.tif 000005
【図３】
2020504540.tif 000006
【図４Ａ】
2020504540.tif 000007
【図４Ｂ】
2020504540.tif 000008
【図５Ａ】
2020504540.tif 000009
【図５Ｂ】
2020504540.tif 000010
【手続補正書】
【提出日】令和1年8月15日(2019.8.15)
【手続補正１】
【補正対象書類名】明細書
【補正対象項目名】０１０１
【補正方法】変更
【補正の内容】
【０１０１】
図2Aに示される伝送モードでは、UE402はTRP501によって送信された第2の伝送パラメータセットを受信し得る。図2Bに示される伝送モードでは、第1の伝送パラメータセットを送信するTRPが第2の伝送パラメータセットの送信に関与する場合、UE404は、TRP503、TRP505、およびTRP507によって別々に送信された第2の伝送パラメータセットを受信し得る。第1の伝送パラメータセットを送信するTRPが第2の伝送パラメータセットの送信に関与しないときに、TRP503が第1の伝送パラメータセットを送信した場合、UE404は、TRP505およびTRP507によって別々に送信された第2の伝送パラメータセットを受信し得る。
【手続補正２】
【補正対象書類名】明細書
【補正対象項目名】０１１９
【補正方法】変更
【補正の内容】
【０１１９】
プロセッサ420はUE40の動作を制御および管理して、前述の実施形態においてUE402またはUE404によって行われる処理を行う。例えば、プロセッサ420は、送信されるべき制御情報の数情報に基づいて、受信される必要のある制御情報の数を決定し、対応する決定された数の制御情報を検出し得る。プロセッサ402は、本発明の本実施形態におけるUEのコンテンツを実施する際にUE40をサポートするように構成される。メモリ430は、UE40によって使用されるプログラムコードおよびデータを格納するように構成される。
【手続補正３】
【補正対象書類名】明細書
【補正対象項目名】０１２２
【補正方法】変更
【補正の内容】
【０１２２】
図5Aに示されるTRP50は、プロセッサ510と、送受信機520と、メモリ530とを含む。送受信機520は、前述の実施形態においてUE40との間で情報を送受信する際にTRP50をサポートするように構成され得る。例えば、プロセッサ510は、送信されるべき制御情報の数情報を決定し得る。送受信機520は、UEに送信されるべき制御情報の数情報を送信すし、UEに制御情報を送信し得る。さらに、送受信機520は、UEに下りデータをさらに送信し、UEによって送信された上りデータを受信し得る。TRP50はメモリ530をさらに含み得る。メモリ530は、TRP50のプログラムコードおよびデータを格納するように構成され得る。図5Aおよび図5Bは各々、TRP50の簡略化された実施態様を示すにすぎないことが理解されよう。
【手続補正４】
【補正対象書類名】特許請求の範囲
【補正対象項目名】全文
【補正方法】変更
【補正の内容】
【特許請求の範囲】
【請求項１】
通信方法であって、
ユーザ機器により、送受信ポイント（TRP）によって送信された、前記ユーザ機器に送信されるべき制御情報の数情報を受信するステップであって、N個の制御情報が前記ユーザ機器に送信されることになっており、Nが1以上の整数である、ステップと、
前記ユーザ機器により、前記数情報に基づいて、前記N個の制御情報が検出される必要があると判断するステップと、
前記ユーザ機器により、N個のTRPから前記制御情報を検出するステップと
を含む方法。
【請求項２】
前記ユーザ機器に送信されるべき前記制御情報の前記数情報が第1の伝送パラメータセットに含まれ、前記制御情報が第2の伝送パラメータセットに含まれる、請求項1に記載の方法。
【請求項３】
Nが2以上の整数であり、前記第1の伝送パラメータセットが第2の伝送パラメータセットのコンテンツ指示情報をさらに含み、前記第2の伝送パラメータセットのコンテンツ指示情報が、前記ユーザ機器に送信されるべきN個の第2の伝送パラメータセットが同じであるかどうかを指示する、請求項2に記載の方法。
【請求項４】
前記N個の第2の伝送パラメータセットが同じコンテンツを有し、
前記方法が、
前記ユーザ機器により、検出された前記N個の第2の伝送パラメータセットを結合するステップ
をさらに含む、請求項3に記載の方法。
【請求項５】
前記N個の第2の伝送パラメータセットが異なるコンテンツを有し、
前記方法が、
前記ユーザ機器により、前記N個のTRPから検出された前記N個の第2の伝送パラメータセットに基づいてN個のデータチャネルのスケジューリング情報を取得するステップと、
前記ユーザ機器により、前記N個のデータチャネルでデータを別々に送信するステップと
をさらに含む、請求項3に記載の方法。
【請求項６】
前記ユーザ機器に送信されるべき前記制御情報の前記数情報が第2の伝送パラメータセットの第1レベルの下り制御情報に含まれ、前記制御情報が前記第2の伝送パラメータセットの第2レベルの下り制御情報に含まれる、請求項1に記載の方法。
【請求項７】
Nが2以上の整数であり、前記第2の伝送パラメータセットの前記第1レベルの下り制御情報が制御情報コンテンツ指示情報をさらに含み、前記制御情報コンテンツ指示情報が、前記ユーザ機器に送信されるべき前記N個の制御情報が同じであるかどうかを指示する、請求項6に記載の方法。
【請求項８】
前記N個の制御情報が同じコンテンツを有し、
前記方法が、
前記ユーザ機器により、検出された前記N個の制御情報を結合するステップ
をさらに含む、請求項7に記載の方法。
【請求項９】
前記N個の制御情報が異なるコンテンツを有し、
前記方法が、
前記ユーザ機器により、前記N個のTRPから検出された前記N個の制御情報に基づいてN個のデータチャネルのスケジューリング情報を取得するステップと、
前記ユーザ機器により、前記N個のデータチャネルでデータを別々に送信するステップと
をさらに含む、請求項7に記載の方法。
【請求項１０】
前記N個の制御情報が、同じ搬送波でのデータ伝送をスケジュールするために使用される、請求項2から9のいずれか一項に記載の方法。
【請求項１１】
ユーザ機器であって、
送受信ポイント（TRP）によって送信された、前記ユーザ機器に送信されるべき制御情報の数情報を受信するように構成された送受信機であって、N個の制御情報が前記ユーザ機器に送信されることになっており、Nが1以上の整数である、送受信機と、
前記数情報に基づいて、前記N個の制御情報が検出される必要があると判断し、N個のTRPから前記制御情報を検出するように構成されたプロセッサと
を含むユーザ機器。
【請求項１２】
前記ユーザ機器に送信されるべき前記制御情報の前記数情報が第1の伝送パラメータセットに含まれ、前記制御情報が第2の伝送パラメータセットに含まれる、請求項11に記載のユーザ機器。
【請求項１３】
Nが2以上の整数であり、前記第1の伝送パラメータセットが第2の伝送パラメータセットのコンテンツ指示情報をさらに含み、前記第2の伝送パラメータセットのコンテンツ指示情報が、前記第2の伝送パラメータセットが同じであるかどうかを指示する、請求項12に記載のユーザ機器。
【請求項１４】
前記N個の第2の伝送パラメータセットが同じコンテンツを有し、
前記プロセッサが、検出された前記N個の第2の伝送パラメータセットを結合するようにさらに構成される、請求項13に記載のユーザ機器。
【請求項１５】
前記N個の第2の伝送パラメータセットが異なるコンテンツを有し、
前記プロセッサが、検出された前記N個の第2の伝送パラメータセットに基づいてN個のデータチャネルのスケジューリング情報を取得するようにさらに構成され、
前記送受信機が、前記N個のデータチャネルでデータを別々に送信するようにさらに構成される、請求項13に記載のユーザ機器。
【請求項１６】
前記ユーザ機器に送信されるべき前記制御情報の前記数情報が第2の伝送パラメータセットの第1レベルの下り制御情報に含まれ、前記制御情報が前記第2の伝送パラメータセットの第2レベルの下り制御情報に含まれる、請求項11に記載のユーザ機器。
【請求項１７】
Nが2以上の整数であり、前記第2の伝送パラメータセットの前記第1レベルの下り制御情報が制御情報コンテンツ指示情報をさらに含み、前記制御情報コンテンツ指示情報が、前記ユーザ機器に送信されるべき前記N個の制御情報が同じであるかどうかを指示する、請求項16に記載のユーザ機器。
【請求項１８】
前記N個の制御情報が同じコンテンツを有し、
前記プロセッサが、検出された前記N個の制御情報を結合するようにさらに構成される、請求項17に記載のユーザ機器。
【請求項１９】
前記N個の制御情報が異なるコンテンツを有し、
前記プロセッサが、前記N個のTRPから検出された前記N個の制御情報に基づいてN個のデータチャネルのスケジューリング情報を取得するようにさらに構成され、
前記送受信機が、前記N個のデータチャネルでデータを別々に送信するようにさらに構成される、請求項17に記載のユーザ機器。
【請求項２０】
前記N個の制御情報が、同じ搬送波でのデータ伝送をスケジュールするために使用される、請求項11から19のいずれか一項に記載のユーザ機器。
【請求項２１】
命令を含むコンピュータ可読記憶媒体であって、前記命令がコンピュータ上で実行されると、前記コンピュータが請求項1から10のいずれか一項に記載の方法を行う、コンピュータ可読記憶媒体。
【請求項２２】
命令を含むコンピュータプログラムであって、前記命令がコンピュータ上で実行されると、前記コンピュータが請求項1から10のいずれか一項に記載の方法を行う、コンピュータプログラム。
【請求項２３】
少なくとも1つのプロセッサを含む処理装置であって、前記プロセッサがコンピュータプログラムを実行して、前記装置が請求項1から10のいずれか一項に記載の方法を行うことを可能にする、装置。
【請求項２４】
記憶媒体を含む、請求項23に記載の装置。
【国際調査報告】
2020504540.tif 000011
2020504540.tif 000012
2020504540.tif 000013
2020504540.tif 000014